(57)【要約】      （修正有）【課題】階層変調に基づくＭＢＭＳ送信、受信方法及び送信装置、受信装置を提供する。【解決手段】受信側から返信された検証報告を受信し、検証報告が、基本層と上位層の両方にエラーがあったか否かを判断する。両方にエラーがあったとき、データ上位層の最後の２ビットと基本層の先頭の２ビットとを互換して第２のコンスタレーションを用いて変調して送信する。両方にエラーがあったのではないとき、検証報告が、基本層のみにエラーがあったか否かを判断する。基本層のみにエラーがあったとき、第２のコンスタレーションを用いて基本層、上位層の順に変調して送信する。上位層のみにエラーがあったとき、データ上位層の最後の２ビットと基本層の先頭の２ビットとを互換して第１のコンスタレーションを用いて変調して送信する。【選択図】図６
2010068524.tif 000002
【特許請求の範囲】
【請求項１】
階層変調に基づくＭＢＭＳ送信方法であって、
初回に伝送されるデータであるか否かを判断し、初回伝送データである場合、第１のコンスタレーションを用いて基本層、上位層の順に変調して送信し、
受信側から返信された検証報告を受信し、前記検証報告が、基本層と上位層の両方にエラーがあったか否かを判断し、両方にエラーがあったとき、データ上位層の最後の２ビットと基本層の先頭の２ビットとを互換し、第２のコンスタレーションを用いて変調して送信し、両方にエラーがあったのではないとき、前記検証報告が、基本層のみにエラーがあったか否かを判断し、基本層のみにエラーがあったとき、第２のコンスタレーションを用いて基本層、上位層の順に変調して送信し、上位層のみにエラーがあったとき、データ上位層の最後の２ビットと基本層の先頭の２ビットとを互換して第１のコンスタレーションを用いて変調して送信することを特徴とする方法。
【請求項２】
請求項１に記載の階層変調に基づくＭＢＭＳ送信方法であって、
前記検証報告が、基本層と上位層の両方にエラーがあったか否かを判断するステップの前に、再送計数ステップを更に有し、該伝送データを計数し、再送回数が所定の閾値よりも大きくなると終了し、再送回数が所定の閾値以下の時に、前記検証報告が、基本層と上位層の両方にエラーがあったか否かを判断する前記ステップに入ることを特徴とする方法。
【請求項３】
請求項１又は２に記載の階層変調に基づくＭＢＭＳ送信方法であって、
前記第１のコンスタレーションと前記第２のコンスタレーションにおいて、一つのコンスタレーションポイントを挟む二つごとのコンスタレーションポイントの最後の２ビットが同一であり且つ、最後の２ビットが同一の前記コンスタレーションポイントが前記第１のコンスタレーションと第２のコンスタレーションに均一に分布し、
前記第１のコンスタレーションと第２のコンスタレーションにおけるコンスタレーションポイントの階層ゲインが異なることを特徴とする方法。
【請求項４】
請求項３に記載の階層変調に基づくＭＢＭＳ送信方法であって、
前記第１のコンスタレーションと第２のコンスタレーションにおけるコンスタレーションポイントの階層ゲインが異なることは、
第１のコンスタレーションの第１象限のコンスタレーションポイントを第２のコンスタレーションの第３象限に平行にシフトし、第１のコンスタレーションの第２象限のコンスタレーションポイントを第２のコンスタレーションの第４象限に平行にシフトし、第１のコンスタレーションの第３象限のコンスタレーションポイントを第２のコンスタレーションの第１象限に平行にシフトし、第１のコンスタレーションの第４象限のコンスタレーションポイントを第２のコンスタレーションの第２象限に平行にシフトすることを特徴とする方法。
【請求項５】
請求項１に記載の階層変調に基づくＭＢＭＳ送信方法であって、
ＱＰＳＫ＋６４ＱＡＭ階層変調について、二回受信した検証報告がいずれも上位層のみにエラーがあったとき、データ上位層の先頭の２ビットと基本層の先頭の２ビットとを互換して第１のコンスタレーションを用いて変調して送信することを特徴とする方法。
【請求項６】
階層変調に基づくＭＢＭＳ送信装置において、通信ユニット、伝送ユニット、判断ユニット、再送ユニット、上位層再送ユニット及び基本層再送ユニットを備え、
前記伝送ユニットは、伝送するデータを、第１のコンスタレーションを用いて基本層、上位層の順に変調して前記通信ユニットに伝送し、前記通信ユニットから送信され、
前記通信ユニットは、受信側から返信された検証報告を受信し、
前記判断ユニットは、前記検証報告を判断し、前記検証報告が、基本層と上位層の両方にエラーがあったとき、再送ユニットによって処理が行なわれ、基本層のみにエラーがあったとき、基本層再送ユニットによって処理が行なわれ、上位層のみにエラーがあったとき、上位層再送ユニットによって処理が行なわれ、
前記再送ユニットは、データ上位層の最後の２ビットと基本層の先頭の２ビットとを互換して第２のコンスタレーションを用いてデータを変調して、通信ユニットに伝送し、前記通信ユニットから再送され、
前記上位層再送ユニットは、データ上位層の最後の２ビットと基本層の先頭の２ビットとを互換して第１のコンスタレーションを用いてデータを変調して、前記通信ユニットに伝送し、前記通信ユニットから再送され、
前記基本層再送ユニットは、第２のコンスタレーションを用いて基本層、上位層の順にデータを変調し、前記通信ユニットに伝送し、前記通信ユニットから再送されることを特徴とする装置。
【請求項７】
請求項６に記載の階層変調に基づくＭＢＭＳ送信装置において、
再送計数ユニットを更に備え、該再送計数ユニットは、前記判断ユニットと前記通信ユニットの間に接続され、再送回数を計数するためのものであり、再送回数が閾値を超えるとデータ送信を停止することを特徴とする装置。
【請求項８】
請求項６又は７に記載の階層変調に基づくＭＢＭＳ送信装置において、
前記第１のコンスタレーションと前記第２のコンスタレーションにおいて、一つのコンスタレーションポイントを挟む二つごとのコンスタレーションポイントの最後の２ビットが同一であり、且つ、最後の２ビットが同一の前記コンスタレーションポイントが前記第１のコンスタレーションと第２のコンスタレーションに均一に分布し、
前記第１のコンスタレーションと第２のコンスタレーションにおけるコンスタレーションポイントの階層ゲインが異なることを特徴とする装置。
【請求項９】
請求項８に記載の階層変調に基づくＭＢＭＳ送信装置において、
前記第１のコンスタレーションと第２のコンスタレーションにおけるコンスタレーションポイントの階層ゲインが異なることは、
第１のコンスタレーションの第１象限のコンスタレーションポイントを第２のコンスタレーションの第３象限に平行にシフトし、第１のコンスタレーションの第２象限のコンスタレーションポイントを第２のコンスタレーションの第４象限に平行にシフトし、第１のコンスタレーションの第３象限のコンスタレーションポイントを第２のコンスタレーションの第１象限に平行にシフトし、第１のコンスタレーションの第４象限のコンスタレーションポイントを第２のコンスタレーションの第２象限に平行にシフトすることを特徴とする装置。
【請求項１０】
請求項６に記載の階層変調に基づくＭＢＭＳ送信装置において、
ＱＰＳＫ＋６４ＱＡＭ階層変調について、前記上位層再送ユニットが二回受信した検証報告がいずれも上位層のみにエラーがあったとき、データ上位層の先頭の２ビットと基本層の先頭の２ビットとを互換して第１のコンスタレーションを用いて変調して送信することを特徴とする装置。
【請求項１１】
階層変調に基づくＭＢＭＳ受信方法であって、
データを受信し、初回に伝送されるデータであるか否かを判断し、初回伝送データである場合、第１のコンスタレーションを用いて復調し、基本層、上位層の順に検証して検証報告を送信し、
送信側からの再送データを受信し、前記検証報告が、基本層と上位層の両方にエラーがあったか否かを判断し、両方にエラーがあったとき、第２のコンスタレーションを用いて復調し、前記再送データ上位層の最後の２ビットと基本層の先頭の２ビットとを互換し、  交換後の再送データを検証して検証報告を送信し、両方にエラーがあったのではないとき、前記検証報告が、基本層のみにエラーがあったか否かを判断し、基本層のみにエラーがあったとき、第２のコンスタレーションを用いて復調し、前記再送データの順に検証して検証報告を送信し、上位層のみにエラーがあったとき、第１のコンスタレーションを用いて復調し、前記再送データ上位層の最後の２ビットと基本層の先頭の２ビットとを互換して交換後の再送データを検証して検証報告を送信することを特徴とする方法。
【請求項１２】
請求項１１に記載の階層変調に基づくＭＢＭＳ受信方法であって、
前記検証報告が、基本層と上位層の両方にエラーがあったか否かを判断するステップの前に、再送回数判断ステップを更に有し、再送回数が所定の閾値より大きいか否かを判断し、再送回数が前記閾値よりも大きくなると終了し、再送回数が所定の閾値以下の時に、  前記検証報告が、基本層と上位層の両方にエラーがあったか否かを判断する前記ステップに入ることを特徴とする方法。
【請求項１３】
請求項１２に記載の階層変調に基づくＭＢＭＳ受信方法であって、
前記再送回数判断ステップの前に、受信側がデータを正しく受信したか否かを判断するステップを更に有し、該受信側がデータを正しく受信した場合、再送データの受信を終了し、正しく受信していない場合、前記再送回数判断ステップを行なうことを特徴とする方法。
【請求項１４】
請求項１１に記載の階層変調に基づくＭＢＭＳ受信方法であって、
前記検証報告が、基本層と上位層の両方にエラーがあったとき、検証する前に分析ステップを更に有し、前記第１のコンスタレーションから、最後の２ビットが、交換後の再送データの最後の２ビットと同一である特定なコンスタレーションポイントを見つけ出し、前記第１のコンスタレーションの座標系を前記特定なコンスタレーションポイントの真中に平行にシフトし、前記交換後の再送データを前記平行シフト後の座標系にマッピングし、前記マッピングした点と前記特定なコンスタレーションポイントとの距離を算出し、距離が最近である特定なコンスタレーションポイントを見つけ出し交換後の再送データとすることを特徴とする方法。
【請求項１５】
請求項１１に記載の階層変調に基づくＭＢＭＳ受信方法であって、
前記検証報告が、基本層と上位層の両方にエラーがあったとき、前記再送データ上位層の最後の２ビットと基本層の先頭の２ビットとを互換する交換ステップの前に、更に、
初回の伝送から、基本層の先頭の２ビットＡを復調し、再送から基本層の先頭の２ビットＢを復調し、前記Ａの最大尤度が前記Ｂの最大尤度以上であるとき、前記第２のコンスタレーションから、最後の２ビットがＡと同一である特定なコンスタレーションポイントを見つけ出し、前記第２のコンスタレーションの座標系を前記特定なコンスタレーションポイントの真中に平行にシフトし、前記再送データを前記平行シフト後の座標系にマッピングし、前記マッピングした点と前記特定なコンスタレーションポイントとの距離を算出し、距離が最近である特定なコンスタレーションポイントを見つけ出し再送データとし、  前記Ａの最大尤度が前記Ｂの最大尤度より小さいとき、前記再送データ上位層の最後の２ビットと基本層の先頭の２ビットとの互換の後に、前記第１のコンスタレーションから、最後の２ビットが前記交換後の再送データの最後の２ビットと同一である特定なコンスタレーションポイントを見つけ出し、前記第１のコンスタレーションの座標系を前記特定なコンスタレーションポイントの真中に平行にシフトし、前記交換後の再送データを前記平行シフト後の座標系にマッピングし、前記マッピングした点と前記特定なコンスタレーションポイントとの距離を算出し、距離が最近である特定なコンスタレーションポイントを見つけ出し交換後の再送データとすることを特徴とする方法。
【請求項１６】
請求項１１に記載の階層変調に基づくＭＢＭＳ受信方法であって、
前記検証報告が、基本層のみにエラーがあったか否かを判断するステップの後に、更に、
前記再送データの制御シグナリングにおけるデータ順を判断し、基本層、上位層の順であれば、第２のコンスタレーションを用いて復調して前記再送データ順に検証して検証報告を送信するステップに入り、基本層、上位層の順でなければ、第２のコンスタレーションを用いて復調して前記再送データ上位層の最後の２ビットと基本層の先頭の２ビットとを互換して検証して検証報告を送信するステップに入ることを特徴とする方法。
【請求項１７】
請求項１１乃至１６の何れか一項に記載の階層変調に基づくＭＢＭＳ受信方法であって、
前記第１のコンスタレーションと前記第２のコンスタレーションにおいて、一つのコンスタレーションポイントを挟む二つごとのコンスタレーションポイントの最後の２ビットが同一であり、且つ、最後の２ビットが同一の前記コンスタレーションポイントが前記第１のコンスタレーションと第２のコンスタレーションに均一に分布し、前記第１のコンスタレーションと第２のコンスタレーションにおけるコンスタレーションポイントの階層ゲインが異なることを特徴とする方法。
【請求項１８】
請求項１７に記載の階層変調に基づくＭＢＭＳ受信方法であって、
前記第１のコンスタレーションと第２のコンスタレーションにおけるコンスタレーションポイントの階層ゲインが異なることは、
第１のコンスタレーションの第１象限のコンスタレーションポイントを第２のコンスタレーションの第３象限に平行にシフトし、第１のコンスタレーションの第２象限のコンスタレーションポイントを第２のコンスタレーションの第４象限に平行にシフトし、第１のコンスタレーションの第３象限のコンスタレーションポイントを第２のコンスタレーションの第１象限に平行にシフトし、第１のコンスタレーションの第４象限のコンスタレーションポイントを第２のコンスタレーションの第２象限に平行にシフトすることを特徴とする方法。
【請求項１９】
請求項１１に記載の階層変調に基づくＭＢＭＳ受信方法であって、
ＱＰＳＫ＋６４ＱＡＭ階層復調について、二回送信した検証報告がいずれも上位層のみにエラーがあった場合、再送データを再度受信するとき、第１のコンスタレーションを用いて再送データを復調し、データ上位層の先頭の２ビットと基本層の先頭の２ビットとを互換して交換後の再送データを検証して検証報告を送信することを特徴とする方法。
【請求項２０】
階層変調に基づくＭＢＭＳ受信装置において、通信ユニット、受信ユニット、判断ユニット、分析ユニット、上位層分析ユニット及び基本層分析ユニットを備え、
前記受信ユニットは、送信側から送信されたデータを通信ユニットを介して受信し、前記受信したデータを第１のコンスタレーションで復調し、基本層、上位層の順に検証して検証報告を送信し、
前記通信ユニットは、送信側からの再送データを受信し、
前記判断ユニットは、前記検証報告を判断し、前記検証報告が、基本層と上位層の両方にエラーがあったとき、分析ユニットによって処理が行なわれ、基本層のみにエラーがあったとき、基本層分析ユニットによって処理が行なわれ、上位層のみにエラーがあったとき、上位層分析ユニットによって処理が行なわれ、
前記分析ユニットは、第２のコンスタレーションを用いてデータを復調し、上位層の最後の２ビットと基本層の先頭の２ビットとを互換して、交換後の再送データを検証して検証報告を通信ユニットに伝送し、前記通信ユニットから伝送され、
前記上位層分析ユニットは、第１のコンスタレーションを用いて前記再送データを復調し、前記再送データ上位層の最後の２ビットと基本層の先頭の２ビットとを互換して、交換後の再送データを検証して前記通信ユニットに伝送し、前記通信ユニットから伝送され、
前記基本層分析ユニットは、第２のコンスタレーションを用いて前記再送データを復調し、該再送データを検証して検証報告を前記通信ユニットに伝送し、前記通信ユニットから伝送されることを特徴とする装置。
【請求項２１】
請求項２０に記載の階層変調に基づくＭＢＭＳ受信装置において、
再送回数判断ユニットを更に備え、該再送回数判断ユニットは、前記判断ユニットと通信ユニットの間に接続され、再送回数が閾値より大きいか否かを判断するためのものであり、再送回数が閾値より大きくなると、データ受信を停止することを特徴とする装置。
【請求項２２】
請求項２１に記載の階層変調に基づくＭＢＭＳ受信装置において、
前記通信ユニットは、受信装置がデータを正しく受信したか否かを判断し、データを正しく受信した場合、再送データの受信を終了し、正しく受信していない場合、再送データを再送回数判断ユニットに伝送することを特徴とする装置。
【請求項２３】
請求項２０に記載の階層変調に基づくＭＢＭＳ受信装置において、
前記分析ユニットは、前記検証報告が、基本層と上位層の両方にエラーがあったとき、検証する前に、前記第１のコンスタレーションから、最後の２ビットが、交換後の再送データの最後の２ビットと同一である特定なコンスタレーションポイントを見つけ出し、前記第１のコンスタレーションの座標系を前記特定なコンスタレーションポイントの真中に平行にシフトし、前記交換後の再送データを前記平行シフト後の座標系にマッピングし、前記マッピングした点と前記特定なコンスタレーションポイントとの距離を算出し、距離が最近である特定なコンスタレーションポイントを見つけ出し再送データとすることを特徴とする装置。
【請求項２４】
請求項２０に記載の階層変調に基づくＭＢＭＳ受信装置において、
前記分析ユニットは、前記再送データ上位層の最後の２ビットと基本層の先頭の２ビットとを互換する前に、更に、
初回の伝送から、基本層の先頭の２ビットＡを復調し、再送から基本層の先頭の２ビットＢを復調し、前記Ａの最大尤度が前記Ｂの最大尤度以上であるとき、前記第２のコンスタレーションから、最後の２ビットがＡと同一である特定なコンスタレーションポイントを見つけ出し、前記第２のコンスタレーションの座標系を前記特定なコンスタレーションポイントの真中に平行にシフトし、前記再送データを前記平行シフト後の座標系にマッピングし、前記マッピングした点と前記特定なコンスタレーションポイントとの距離を算出し、距離が最近である特定なコンスタレーションポイントを見つけ出し再送データとし、  前記Ａの最大尤度が前記Ｂの最大尤度より小さいとき、前記再送データ上位層の最後の２ビットと基本層の先頭の２ビットとを互換し、前記第１のコンスタレーションから、最後の２ビットが交換後の再送データの最後の２ビットと同一である特定なコンスタレーションポイントを見つけ出し、前記第１のコンスタレーションの座標系を前記特定なコンスタレーションポイントの真中に平行にシフトし、前記交換後の再送データを前記平行シフト後の座標系にマッピングし、前記マッピングした点と前記特定なコンスタレーションポイントとの距離を算出し、距離が最近である特定なコンスタレーションポイントを見つけ出し交換後の再送データとすることを特徴とする装置。
【請求項２５】
請求項２０に記載の階層変調に基づくＭＢＭＳ受信装置において、
前記判断ユニットは更に、前記再送データの制御シグナリングにおけるデータ順を判断し、基本層、上位層の順であれば、前記基本層分析ユニットによって処理が行われ、基本層、上位層の順でなければ、前記分析ユニットによって処理が行なわれることを特徴とする装置。
【請求項２６】
請求項２０乃至２５の何れか一項に記載の階層変調に基づくＭＢＭＳ受信装置において、
前記第１のコンスタレーションと前記第２のコンスタレーションにおいて、一つのコンスタレーションポイントを挟む二つごとのコンスタレーションポイントの最後の２ビットが同一であり、且つ、最後の２ビットが同一の前記コンスタレーションポイントが前記第１のコンスタレーションと第２のコンスタレーションに均一に分布し、前記第１のコンスタレーションと第２のコンスタレーションにおけるコンスタレーションポイントの階層ゲインが異なることを特徴とする装置。
【請求項２７】
請求項２６に記載の階層変調に基づくＭＢＭＳ受信装置において、
前記第１のコンスタレーションと第２のコンスタレーションにおけるコンスタレーションポイントの階層ゲインが異なることは、
第１のコンスタレーションの第１象限のコンスタレーションポイントを第２のコンスタレーションの第３象限に平行にシフトし、第１のコンスタレーションの第２象限のコンスタレーションポイントを第２のコンスタレーションの第４象限に平行にシフトし、第１のコンスタレーションの第３象限のコンスタレーションポイントを第２のコンスタレーションの第１象限に平行にシフトし、第１のコンスタレーションの第４象限のコンスタレーションポイントを第２のコンスタレーションの第２象限に平行にシフトすることを特徴とする装置。
【請求項２８】
請求項２０に記載の階層変調に基づくＭＢＭＳ受信装置において、
ＱＰＳＫ＋６４ＱＡＭ階層復調について、上位層分析ユニットが二回返信した検証報告がいずれも上位層のみにエラーがあった場合、再送データを再度受信するとき、上位層分析ユニットは、第１のコンスタレーションを用いて再送データを復調し、データ上位層の先頭の２ビットと基本層の先頭の２ビットとを互換して交換後の再送データを検証して検証報告を送信することを特徴とする装置。
【発明の詳細な説明】
【技術分野】
【０００１】
本発明は、通信分野に関し、特に、階層変調ＭＢＭＳ分野に関する。詳しくは、階層変調に基づくＭＢＭＳ送信、受信方法及び送信装置、受信装置に関する。
【背景技術】
【０００２】
ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）は、ＷＣＤＭＡシステムのｒｅｌｅａｓｅ  ６バージョンにより標準化され、ＬＴＥ（Ｌｏｎｇ  Ｔｅｒｍ  Ｅｖｏｌｕｔｉｏｎ）とＬＴＥ‐Ａ標準化において引き続き進化している。ＭＢＭＳは、同一のマルチメディア情報を一組のユーザに同時送信する一対複数の情報伝送サービスであり、マルチメディアブロードキャストとマルチメディアマルチキャストの二種類のサービスに分けられる。ＬＴＥの標準化過程において、ブロードキャストモードでのセル境界には、１ｂｉｔ／ｓ／Ｈｚのスペクトル利用率が要求される。
【０００３】
ＭＢＭＳのスペクトル効率を制限する主な原因としては、ブロードキャスト又はマルチキャストにおける信号送信の「ネック」となる問題である。図１は、従来技術のマルチキャストを示す。ブロードキャスト・マルチキャストサービスを受けるユーザがセルの異なる位置に散在し、セル中心部ユーザのＳＩＮＲが高く、セル境界部ユーザのＳＩＮＲが低い。セル境界部ユーザが信号を正しく受信できることを保証するために、ブロードキャスト・マルチキャストサービスの信号は、例えばＱＰＳＫ（Ｑｕａｄｒａｔｕｒｅ  Ｐｈａｓｅ  Ｓｈｉｆｔ  Ｋｅｙｉｎｇ：四位相偏移変調）のような、比較的に低い変調方式で送信しなければならない。これは、セル中心部のチャネル品質の比較的によいユーザが高階の変調方式を利用することを制限し、システム全体のスペクトル利用率を制限することになる。
【０００４】
階層変調技術は、ブロードキャスト・マルチキャストサービス伝送におけるネック問題を解決するための比較的によい方法である。従来の通信システムでは、階層変調により、同一のキャリア周波数資源において二つ以上の独立したデータブロックを送信でき、ユーザは、自身のチャネル品質に基づいて対応するデータブロックを選択的に受信できる。チャネル品質の相違により、データ受信にエラーがあった場合、異なるユーザが再送を必要とするデータブロックは異なってくる。従来の再送方法では、階層変調技術におけるブロードキャスト又はマルチキャスト再送の特徴が考慮されていないため、伝送効率が比較的に低い。
【０００５】
階層変調では、非均一の変調コンスタレーションが利用される。図２は、従来技術のコンスタレーションを示す。ＱＰＳＫ＋１６ＱＡＭ方式において、伝送されるデータは、基本層（ＢＬ）と上位層（ＥＬ）の二組に分けられる。異なる層のデータには伝送品質が異なる。基本層のデータはＱＰＳＫ変調に相当し、上位層のデータは１６ＱＡＭ変調に相当する。すると、セル境界部のチャネル品質が比較的に悪いユーザには基本層のデータしか復調せず、セル中心部のチャネル品質が比較的高いユーザには基本層と上位層両方のデータを同時復調できる。図３は、従来技術の階層変調を示す。階層変調技術をＭＢＭＳに応用することで送信のネック問題を効果的に解決できる。ＢＳが基地局であり、階層が６４ＱＡＭ、１６ＱＡＭ、ＱＰＳＫである。また、例えばデジタルビデオ地上放送（ＤＶＢ−Ｔ）、携帯地上無線放送（ＤＶＢ−Ｈ）、ウルトラモバイルブロードバンドブロードキャスト／マルチキャストサービス（ＵＭＢ  ＢＣＭＣＳ：Ｂｒｏａｄｃａｓｔ／Ｍｕｌｔｉｃａｓｔ  Ｓｅｒｖｉｃｅｓ）などの従来の放送システムには、階層変調技術が広く応用されていることが知られている。
【０００６】
再送技術は、情報伝送の信頼性を保証するキーとなる技術であり、ブロードキャスト又はマルチキャストサービス伝送において重要な役割を果たしている。従来のブロードキャスト又はマルチキャストサービスにおける再送方法は、固定コンスタレーション再送、基本層と上位層との交換再送、星座再配置再送、及び、星座再配置と、基本層と上位層との交換をミックスした再送方法が挙げられる。
【０００７】
１.  固定コンスタレーション再送方法について
図４は、従来技術の固定コンスタレーション再送方法を示す。再送（ＲＥＴＸ）時に、初回伝送（１ｓｔＴＸ）時と同一のコンスタレーションが採用される。図４では、ＵＥが移動端末を示し、縦縞は基本層を示し、点は上位層を示し、空白はデータがないことを示す。「√」は正しく受信したことを示し、「×」は正しく受信していないことを示す。後述にも適用する。該方法では、セル中心部ユーザのチャネル品質が比較的によいため、基本層のデータを正しく受信できることが容易であるので、基本層データの再送は、チャネル品質が比較的によいユーザにとっては無用である。従って、該方法では、セル中心部ユーザのスペクトル利用率が比較的に低い。
【０００８】
２.  基本層と上位層との交換再送方法について
図５は、従来技術の基本層と上位層との交換再送方法を示す。再送時に、基本層と上位層データの位置を交換する。セル中心部ユーザにとって、上位層のデータには、基本層のデータと比べより高いチャネル品質が要求されるため、該方法により、明らかなメリットを持つ。しかし、セル境界部ユーザが基本層データのみの受信を希望とする可能性があるので、該方法により、セル境界部ユーザの性能に損失をもたらす。
【０００９】
３.  星座再配置再送方法について
１６ＱＡＭ変調の星座再配置再送方法を例とする。再送時に異なるコンスタレーション（例えば四個）を採用することで星座階層の目的を達成する。方法２と比べ、該方法では、セル境界部ユーザの性能を増加できるのみである。しかし、複数回の再送が必要となるため、セル中心部ユーザに対する性能向上効果が顕著ではない。
【００１０】
４.  星座再配置と、基本層と上位層との交換をミックスした再送方法について
セル境界部とセル中心部ユーザの性能を同時に向上させるために、該方法では、方法３と方法２とをミックスした再送方式が採用されている。異なる再送時間では方法２と方法３を交替に採用する。該方法は、セル境界部ユーザの品質とセル中心部ユーザの品質を同時に向上するには複数回の再送が必要となるため、再送効率が比較的に低いという問題がある。
【発明の概要】
【発明が解決しようとする課題】
【００１１】
上記をまとめると、階層変調技術又は非均一コンスタレーションを利用する際に、セル中心部ユーザとセル境界部ユーザが受信したパケットは、品質が異なっており、データ受信の正確性もそれぞれ異なる。従って、基本層と上位層データの再送を協調させるように再送信号を如何にして配置し、セル境界部ユーザとセル中心部ユーザの性能を同時に向上させることは、現在急速に解決しなければならない課題となっている。
【００１２】
導入の方式でそれをここに合併させる。
【課題を解決するための手段】
【００１３】
本発明は、階層変調に基づくＭＢＭＳ送信方法を提供し、異なるコンスタレーションで信号を再送して、再送されたデータによりチャネル品質の異なるユーザにゲインをもたらすことを確保し、再送の効率を向上することで、システム性能を最適化することを目的とする。
【００１４】
本発明は、更に、階層変調に基づくＭＢＭＳ送信装置を提供し、対応する送信方法の実現に供され、再送の効率を向上することで、セル中心部受信装置とセル境界部受信装置が初回の再送時に良好なゲインを取得できるようにすることを目的とする。
【００１５】
本発明は、更に、階層変調に基づくＭＢＭＳ受信方法を提供し、セル中心部ユーザとセル境界部ユーザの受信効率を向上し、再送回数を減少することを目的とする。
【００１６】
本発明は、更に、階層変調に基づくＭＢＭＳ受信装置を提供し、対応する送信方法の実現に供され、セル中心部ユーザとセル境界部ユーザの受信効率を向上することで、システム性能を最適化することを目的とする。
【００１７】
上記目的を実現するために、本発明の実施例では、階層変調に基づくＭＢＭＳ送信方法を提供している。該方法では、初回に伝送されるデータであるか否かを判断し、初回伝送データである場合、第１のコンスタレーションを用いて基本層、上位層の順に変調して送信する。受信側から返信された検証報告を受信し、上記検証報告が、基本層と上位層の両方にエラーがあったか否かを判断する。両方にエラーがあったとき、データ上位層の最後の２ビットと基本層の先頭の２ビットとを互換して第２のコンスタレーションを用いて変調して送信する。両方にエラーがあったのではないとき、上記検証報告が、基本層のみにエラーがあったか否かを判断する。基本層のみにエラーがあったとき、第２のコンスタレーションを用いて基本層、上位層の順に変調して送信する。上位層のみにエラーがあったとき、データ上位層の最後の２ビットと基本層の先頭の２ビットとを互換して第１のコンスタレーションを用いて変調して送信する。
【００１８】
上記目的を実現するには、本発明の実施例では、階層変調に基づくＭＢＭＳ送信装置を更に提供している。該装置は、通信ユニット、伝送ユニット、判断ユニット、再送ユニット、上位層再送ユニット及び基本層再送ユニットを備える。
【００１９】
上記伝送ユニットは、伝送するデータを、第１のコンスタレーションを用いて基本層、上位層の順に変調して上記通信ユニットに伝送し、上記通信ユニットから送信される。上記通信ユニットは、受信側から返信された検証報告を受信する。上記判断ユニットは、上記検証報告を判断し、上記検証報告が、基本層と上位層の両方にエラーがあったとき、再送ユニットによって処理が行なわれ、基本層のみにエラーがあったとき、基本層再送ユニットによって処理が行なわれ、上位層のみにエラーがあったとき、上位層再送ユニットによって処理が行なわれる。上記再送ユニットは、データ上位層の最後の２ビットと基本層の先頭の２ビットとを互換して第２のコンスタレーションを用いてデータを変調して、通信ユニットに伝送し、上記通信ユニットから再送される。上記上位層再送ユニットは、データ上位層の最後の２ビットと基本層の先頭の２ビットとを互換して第１のコンスタレーションを用いてデータを変調して、上記通信ユニットに伝送し、上記通信ユニットから再送される。上記基本層再送ユニットは、第２のコンスタレーションを用いて基本層、上位層の順を保ちデータを変調し、上記通信ユニットに伝送し、上記通信ユニットから再送される。
【００２０】
上記目的を実現するには、本発明の実施例では、階層変調に基づくＭＢＭＳ受信方法を更に提供している。該方法では、データを受信し、初回に伝送されるデータであるか否かを判断し、初回伝送データである場合、第１のコンスタレーションを用いて復調し、基本層、上位層の順に検証して検証報告を送信する。送信側からの再送データを受信し、上記検証報告が、基本層と上位層の両方にエラーがあったか否かを判断する。両方にエラーがあったとき、第２のコンスタレーションを用いて復調し、上記再送データ上位層の最後の２ビットと基本層の先頭の２ビットとを互換し、該交換後の再送データを検証して検証報告を送信する。両方にエラーがあったのではないとき、上記検証報告が、基本層のみにエラーがあったか否かを判断する。基本層のみにエラーがあったとき、第２のコンスタレーションを用いて復調し、上記再送データの順に検証して検証報告を送信する。上位層のみにエラーがあったとき、第１のコンスタレーションを用いて復調し、上記再送データ上位層の最後の２ビットと基本層の先頭の２ビットとを互換して該交換後の再送データを検証して検証報告を送信する。
【００２１】
本発明の実施例の階層変調に基づくＭＢＭＳ受信方法において、上記検証報告が、基本層と上位層の両方にエラーがあったか否かを判断するステップの前に、再送回数判断ステップを更に有する。再送回数が所定の閾値より大きいか否かを判断する。再送回数が上記閾値よりも大きくなると終了する。再送回数が所定の閾値以下の時に、上記検証報告が、基本層と上位層の両方にエラーがあったか否かを判断するステップに入る。
【００２２】
本発明の実施例の階層変調に基づくＭＢＭＳ受信方法において、上記再送回数判断ステップの前に、受信側がデータを正しく受信したか否かを判断するステップを更に有する。該受信側がデータを正しく受信した場合、再送データの受信を終了し、正しく受信していない場合、上記再送回数判断ステップを行なう。
【００２３】
本発明の実施例の階層変調に基づくＭＢＭＳ受信方法において、上記検証報告が、基本層と上位層の両方にエラーがあったとき、検証する前に分析ステップを更に有する。上記第１のコンスタレーションから、最後の２ビットが、交換後の再送データの最後の２ビットと同一である特定なコンスタレーションポイントを見つけ出し、上記第１のコンスタレーションの座標系を上記特定なコンスタレーションポイントの真中に平行にシフトし、上記交換後の再送データを上記平行シフト後の座標系にマッピングし、上記マッピングした点と上記特定なコンスタレーションポイントとの距離を算出し、距離が最近である特定なコンスタレーションポイントを見つけ出し交換後の再送データとする。
【００２４】
本発明の実施例の階層変調に基づくＭＢＭＳ受信方法において、上記検証報告が、基本層と上位層の両方にエラーがあったとき、上記再送データ上位層の最後の２ビットと基本層の先頭の２ビットとを互換する交換ステップの前に、更に下記ステップを有する。初回の伝送から、基本層の先頭の２ビットＡを復調し、再送から基本層の先頭の２ビットＢを復調する。上記Ａの最大尤度が上記Ｂの最大尤度以上であるとき、上記第２のコンスタレーションから、最後の２ビットがＡと同一である特定なコンスタレーションポイントを見つけ出し、上記第２のコンスタレーションの座標系を上記特定なコンスタレーションポイントの真中に平行にシフトし、上記再送データを上記平行シフト後の座標系にマッピングし、上記マッピングした点と上記特定なコンスタレーションポイントとの距離を算出し、距離が最近である特定なコンスタレーションポイントを見つけ出し再送データとする。上記Ａの最大尤度が上記Ｂの最大尤度より小さいとき、上記再送データ上位層の最後の２ビットと基本層の先頭の２ビットとの互換の後に、上記第１のコンスタレーションから、最後の２ビットが上記交換後の再送データの最後の２ビットと同一である特定なコンスタレーションポイントを見つけ出し、上記第１のコンスタレーションの座標系を上記特定なコンスタレーションポイントの真中に平行にシフトし、上記交換後の再送データを上記平行シフト後の座標系にマッピングし、上記マッピングした点と上記特定なコンスタレーションポイントとの距離を算出し、距離が最近である特定なコンスタレーションポイントを見つけ出し交換後の再送データとする。
【００２５】
本発明の実施例の階層変調に基づくＭＢＭＳ受信方法において、上記検証報告が、基本層のみにエラーがあったか否かを判断するステップの後に、更に、上記再送データの制御シグナリングにおけるデータ順を判断する。基本層、上位層の順であれば、第２のコンスタレーションを用いて復調して上記再送データ順に検証して検証報告を送信するステップに入り、基本層、上位層の順でなければ、第２のコンスタレーションを用いて復調して上記再送データ上位層の最後の２ビットと基本層の先頭の２ビットとを互換して検証して検証報告を送信するステップに入る。
【００２６】
本発明の実施例の階層変調に基づくＭＢＭＳ受信方法において、上記第１のコンスタレーションと上記第２のコンスタレーションにおいて、一つのコンスタレーションポイントを挟む二つごとのコンスタレーションポイントの最後の２ビットが同一であり、且つ、最後の２ビットが同一の上記コンスタレーションポイントが上記第１のコンスタレーションと第２のコンスタレーションに均一に分布し、上記第１のコンスタレーションと第２のコンスタレーションにおけるコンスタレーションポイントの階層ゲインが異なる。
【００２７】
本発明の実施例の階層変調に基づくＭＢＭＳ受信方法において、上記第１のコンスタレーションと第２のコンスタレーションにおけるコンスタレーションポイントの階層ゲインが異なることは、第１のコンスタレーションの第１象限のコンスタレーションポイントを第２のコンスタレーションの第３象限に平行にシフトし、第１のコンスタレーションの第２象限のコンスタレーションポイントを第２のコンスタレーションの第４象限に平行にシフトし、第１のコンスタレーションの第３象限のコンスタレーションポイントを第２のコンスタレーションの第１象限に平行にシフトし、第１のコンスタレーションの第４象限のコンスタレーションポイントを第２のコンスタレーションの第２象限に平行にシフトする。
【００２８】
上記目的を実現するには、本発明の実施例では、階層変調に基づくＭＢＭＳ受信装置を更に提供している。該装置は、通信ユニット、受信ユニット、判断ユニット、分析ユニット、上位層分析ユニット及び基本層分析ユニットを備える。上記受信ユニットは、送信側から送信されたデータを通信ユニットを介して受信し、上記受信したデータを第１のコンスタレーションで復調し、基本層、上位層の順に検証して検証報告を送信する。上記通信ユニットは、送信側からの再送データを受信する。上記判断ユニットは、上記検証報告を判断し、上記検証報告が、基本層と上位層の両方にエラーがあったとき、分析ユニットによって処理が行なわれ、基本層のみにエラーがあったとき、基本層分析ユニットによって処理が行なわれ、上位層のみにエラーがあったとき、上位層分析ユニットによって処理が行なわれる。上記分析ユニットは、第２のコンスタレーションを用いてデータを復調し、上位層の最後の２ビットと基本層の先頭の２ビットとを互換して、該交換後の再送データを検証して通信ユニットに伝送し、上記通信ユニットから伝送される。上記上位層分析ユニットは、第１のコンスタレーションを用いて上記再送データを復調し、上記再送データ上位層の最後の２ビットと基本層の先頭の２ビットとを互換して、該交換後の再送データを検証して検証報告を上記通信ユニットに伝送し、上記通信ユニットから伝送される。上記基本層分析ユニットは、第２のコンスタレーションを用いて上記再送データを復調し、該再送データを検証して検証報告を上記通信ユニットに伝送し、上記通信ユニットから伝送される。
【００２９】
本発明の実施例の階層変調に基づくＭＢＭＳ受信装置において、再送回数判断ユニットを更に備える。該再送回数判断ユニットは、上記判断ユニットと通信ユニットの間に接続され、再送回数が閾値より大きいか否かを判断するためのものであり。再送回数が閾値より大きくなると、データ受信を停止する。
【００３０】
本発明の実施例の階層変調に基づくＭＢＭＳ受信装置において、上記通信ユニットは、受信装置がデータを正しく受信したか否かを判断する。データを正しく受信した場合、再送データの受信を終了し、正しく受信していない場合、再送データを再送回数判断ユニットに伝送する。
【００３１】
本発明の実施例の階層変調に基づくＭＢＭＳ受信装置において、上記分析ユニットは、上記検証報告が、基本層と上位層の両方にエラーがあったとき、検証する前に、更に、上記第１のコンスタレーションから、最後の２ビットが、交換後の再送データの最後の２ビットと同一である特定なコンスタレーションポイントを見つけ出し、上記第１のコンスタレーションの座標系を上記特定なコンスタレーションポイントの真中に平行にシフトし、上記交換後の再送データを上記平行シフト後の座標系にマッピングし、上記マッピングした点と上記特定なコンスタレーションポイントとの距離を算出し、距離が最近である特定なコンスタレーションポイントを見つけ出し再送データとする。
【００３２】
本発明の実施例の階層変調に基づくＭＢＭＳ受信装置において、上記分析ユニットは、上記再送データ上位層の最後の２ビットと基本層の先頭の２ビットとを互換する前に、更に、下記ステップを有する。初回の伝送から、基本層の先頭の２ビットＡを復調し、再送から基本層の先頭の２ビットＢを復調する。上記Ａの最大尤度が上記Ｂの最大尤度以上であるとき、上記第２のコンスタレーションから、最後の２ビットがＡと同一である特定なコンスタレーションポイントを見つけ出し、上記第２のコンスタレーションの座標系を上記特定なコンスタレーションポイントの真中に平行にシフトし、上記再送データを上記平行シフト後の座標系にマッピングし、上記マッピングした点と上記特定なコンスタレーションポイントとの距離を算出し、距離が最近である特定なコンスタレーションポイントを見つけ出し再送データとする。上記Ａの最大尤度が上記Ｂの最大尤度より小さいとき、上記再送データ上位層の最後の２ビットと基本層の先頭の２ビットとを互換し、上記第１のコンスタレーションから、最後の２ビットが上記交換後の再送データの最後の２ビットと同一である特定なコンスタレーションポイントを見つけ出し、上記第１のコンスタレーションの座標系を上記特定なコンスタレーションポイントの真中に平行にシフトし、上記交換後の再送データを上記平行シフト後の座標系にマッピングし、上記マッピングした点と上記特定なコンスタレーションポイントとの距離を算出し、距離が最近である特定なコンスタレーションポイントを見つけ出し交換後の再送データとする。
【００３３】
本発明の実施例の階層変調に基づくＭＢＭＳ受信装置において、上記判断ユニットは更に、上記再送データの制御シグナリングにおけるデータ順を判断し、基本層、上位層の順であれば、上記基本層分析ユニットによって処理が行われ、基本層、上位層の順でなければ、上記分析ユニットによって処理が行なわれる。
【００３４】
本発明の実施例の階層変調に基づくＭＢＭＳ受信装置において、上記第１のコンスタレーションと上記第２のコンスタレーションにおいて、一つのコンスタレーションポイントを挟む二つごとのコンスタレーションポイントの最後の２ビットが同一であり、且つ、最後の２ビットが同一の上記コンスタレーションポイントが上記第１のコンスタレーションと第２のコンスタレーションに均一に分布し、上記第１のコンスタレーションと第２のコンスタレーションにおけるコンスタレーションポイントの階層ゲインが異なる。
【００３５】
本発明の実施例の階層変調に基づくＭＢＭＳ受信装置において、上記第１のコンスタレーションと第２のコンスタレーションにおけるコンスタレーションポイントの階層ゲインが異なることは、第１のコンスタレーションの第１象限のコンスタレーションポイントを第２のコンスタレーションの第３象限に平行にシフトし、第１のコンスタレーションの第２象限のコンスタレーションポイントを第２のコンスタレーションの第４象限に平行にシフトし、第１のコンスタレーションの第３象限のコンスタレーションポイントを第２のコンスタレーションの第１象限に平行にシフトし、第１のコンスタレーションの第４象限のコンスタレーションポイントを第２のコンスタレーションの第２象限に平行にシフトする。
【発明の効果】
【００３６】
本発明の実施例によれば、以下の優れた効果を奏する。間隔を持ち配置された最後の２ビットが同一の第１コンスタレーションと、第１のコンスタレーションと階層ゲインを有する第２のコンスタレーションとにより、データの最後の２ビットを伝送データの先頭に置くことで、一回再送することで良好なゲインを取得できる。全体的には再送回数が少なく、データ復調の正確率が高く、ユーザのデータスループットが高い。
【図面の簡単な説明】
【００３７】
【図１】従来技術のマルチキャストを示す。
【図２】従来技術のコンスタレーションを示す。
【図３】従来技術の階層変調を示す。
【図４】従来技術の固定コンスタレーション再送方法を示す。
【図５】従来技術の基本層と上位層との交換再送方法を示す。
【図６】本発明のＭＢＭＳ送信方法の実施例の流れを示す。
【図７】本発明のＭＢＭＳ送信装置の実施例の構造を示す。
【図８】本発明のＭＢＭＳ受信方法の実施例の流れを示す。
【図９】本発明のＭＢＭＳ受信装置の実施例の構造を示す。
【図１０Ａ】本発明において１６ＱＡＭ＋ＱＰＳＫ階層変調についての第１の実施例の第１のコンスタレーションを示す。
【図１０Ｂ】本発明において１６ＱＡＭ＋ＱＰＳＫ階層変調についての第１の実施例の第２のコンスタレーションを示す。
【図１０Ｃ】本発明において１６ＱＡＭ＋ＱＰＳＫ階層変調についての第２の実施例の第１のコンスタレーションを示す。
【図１０Ｄ】本発明において１６ＱＡＭ＋ＱＰＳＫ階層変調についての第２の実施例の第２のコンスタレーションを示す。
【図１０Ｅ】本発明において１６ＱＡＭ＋ＱＰＳＫ階層変調についての第３の実施例の第１のコンスタレーションを示す。
【図１０Ｆ】本発明において１６ＱＡＭ＋ＱＰＳＫ階層変調についての第３の実施例の第２のコンスタレーションを示す。
【図１１Ａ】本発明の受信側が１６ＱＡＭ＋ＱＰＳＫ階層変調について、伝送ステップにおいて受信したデータを第１の実施例の第１のコンスタレーションにマッピングした様子を示す。
【図１１Ｂ】本発明の受信側が１６ＱＡＭ＋ＱＰＳＫ階層変調について、基本層と上位層の両方にエラーがあったときに受信したデータを第１の実施例の第２のコンスタレーションにマッピングした様子を示す。
【図１１Ｃ】本発明の受信側が１６ＱＡＭ＋ＱＰＳＫ階層変調について、受信したデータを第１の実施例の座標系が平行シフトされた第２のコンスタレーションにマッピングした様子を示す。
【図１１Ｄ】本発明の受信側が１６ＱＡＭ＋ＱＰＳＫ階層変調について、受信したデータを第１の実施例の座標系が平行シフトされた第１のコンスタレーションにマッピングした様子を示す。
【図１１Ｅ】本発明の受信側が１６ＱＡＭ＋ＱＰＳＫ階層変調について、基本層のみにエラーがあったときの再送ステップにおいて受信したデータを第１の実施例の第２のコンスタレーションにマッピングした様子を示す。
【図１１Ｆ】本発明の受信側が１６ＱＡＭ＋ＱＰＳＫ階層変調について、上位層のみにエラーがあったときの再送ステップにおいて受信したデータを第１の実施例の第１のコンスタレーションにマッピングした様子を示す。
【図１２Ａ】本発明が１６ＱＡＭ＋６４ＱＡＭとＱＰＳＫ＋６４ＱＡＭ階層変調についての第１の実施例の第１のコンスタレーションを示す。
【図１２Ｂ】本発明が１６ＱＡＭ＋６４ＱＡＭとＱＰＳＫ＋６４ＱＡＭ階層変調についての第１の実施例の第２のコンスタレーションを示す。
【図１２Ｃ】本発明が１６ＱＡＭ＋６４ＱＡＭとＱＰＳＫ＋６４ＱＡＭ階層変調についての第２の実施例の第１のコンスタレーションを示す。
【図１２Ｄ】本発明が１６ＱＡＭ＋６４ＱＡＭとＱＰＳＫ＋６４ＱＡＭ階層変調についての第２の実施例の第２のコンスタレーションを示す。
【図１２Ｅ】本発明が１６ＱＡＭ＋６４ＱＡＭとＱＰＳＫ＋６４ＱＡＭ階層変調についての第３の実施例の第１のコンスタレーションを示す。
【図１２Ｆ】本発明が１６ＱＡＭ＋６４ＱＡＭとＱＰＳＫ＋６４ＱＡＭ階層変調についての第３の実施例の第２のコンスタレーションを示す。
【図１３Ａ】本発明の受信側が１６ＱＡＭ＋６４ＱＡＭ階層変調について、伝送ステップにおいて受信したデータを第１の実施例の第１のコンスタレーションにマッピングした様子を示す。
【図１３Ｂ】本発明の受信側が１６ＱＡＭ＋６４ＱＡＭ階層変調について、基本層と上位層の両方にエラーがあったときに受信したデータを第１の実施例の第２のコンスタレーションにマッピングした様子を示す。
【図１３Ｃ】本発明の受信側が１６ＱＡＭ＋６４ＱＡＭ階層変調について、受信したデータを第１の実施例の座標系が平行シフトされた第２のコンスタレーションにマッピングした様子を示す。
【図１３Ｄ】本発明の受信側が１６ＱＡＭ＋６４ＱＡＭ階層変調について、受信したデータを第１の実施例の座標系が平行シフトされた第１のコンスタレーションにマッピングした様子を示す。
【図１３Ｅ】本発明の受信側が１６ＱＡＭ＋６４ＱＡＭ階層変調について、基本層のみにエラーがあったときの再送ステップにおいて受信したデータを第１の実施例の第２のコンスタレーションにマッピングした様子を示す。
【図１３Ｆ】本発明の受信側が１６ＱＡＭ＋６４ＱＡＭ階層変調について、上位層のみにエラーがあったときの再送ステップにおいて受信したデータを第１の実施例の第１のコンスタレーションにマッピングした様子を示す。
【図１４Ａ】本発明の受信側がＱＰＳＫ＋６４ＱＡＭ階層変調について、伝送ステップにおいて受信したデータを第１の実施例の第１のコンスタレーションにマッピングした様子を示す。
【図１４Ｂ】本発明の受信側がＱＰＳＫ＋６４ＱＡＭ階層変調について、基本層と上位層の両方にエラーがあったときに受信したデータを第１の実施例の第２のコンスタレーションにマッピングした様子を示す。
【図１４Ｃ】本発明の受信側がＱＰＳＫ＋６４ＱＡＭ階層変調について、受信したデータを第１の実施例の座標系が平行シフトされた第２のコンスタレーションにマッピングした様子を示す。
【図１４Ｄ】本発明の受信側がＱＰＳＫ＋６４ＱＡＭ階層変調について、受信したデータを第１の実施例の座標系が平行シフトされた第１のコンスタレーションにマッピングした様子を示す。
【図１４Ｅ】本発明の受信側がＱＰＳＫ＋６４ＱＡＭ階層変調について、基本層のみにエラーがあったときの再送ステップにおいて受信したデータを第１の実施例の第２のコンスタレーションにマッピングした様子を示す。
【図１４Ｆ】本発明の受信側がＱＰＳＫ＋６４ＱＡＭ階層変調について、上位層のみにエラーがあったときの再送ステップにおいて受信したデータを第１の実施例の第１のコンスタレーションにマッピングした様子を示す。
【図１５】本発明と従来技術とのユーザデータスループットの比較図である。
【発明を実施するための形態】
【００３８】
本発明の目的、技術案、優れた点をより明確化するために、以下、実施形態と図面を参照して本発明を更に詳しく説明する。ここで、本発明を例示する実施形態及びその説明は、本発明を解釈するためのものであって、本発明を限定するものではない。
【００３９】
本発明の実施例は、階層変調に基づくＭＢＭＳ送信、受信方法及び送信装置、受信装置を提供している。以下、図面を参照して本発明を詳しく説明する。
【００４０】
図６は、本発明のＭＢＭＳ送信方法の実施例の流れを示す。
【００４１】
ステップ６０１において、開始する。
【００４２】
ステップ６０２において、初回送信か否かを判断する。初回送信データである場合、ステップ６０３に進む。初回送信データではない場合、ステップ６０４に進む。
【００４３】
ステップ６０３において、第１のコンスタレーションを用いて基本層、上位層の順にデータを変調して送信する。
【００４４】
ステップ６０４において、受信装置から返信された検証報告を受信する。再送を計数して、計数した値が閾値を超えたか否かを判断する。本例では、再送閾値が３回と予め定められている。閾値を超えるとステップ６０５に進み、以下となる場合、ステップ６０６に進む。
【００４５】
ステップ６０５において、終了する。
【００４６】
ステップ６０６において、上記検証報告に基づいて、受信装置が受信した基本層と上位層の両方にエラーがあったか否かを判断する。両方にエラーがあった場合、ステップ６０７に進み、両方にエラーがあったのではない場合、ステップ６０８に進む。
【００４７】
ステップ６０７において、再送のときに、データ上位層の最後の２ビットと基本層の先頭の２ビットとを互換して第２のコンスタレーションを用いてデータを変調して送信する。
【００４８】
ステップ６０８において、検証報告が、基本層のデータのみにエラーがあったと判断した場合、ステップ６１０に進む。基本層のデータのみにエラーがあったのではない場合、ステップ６０９に進む。
【００４９】
ステップ６０９において、上位層のデータのみにエラーがあった場合、データ上位層の最後の２ビットと基本層の先頭の２ビットとを互換して第１のコンスタレーションを用いてデータを変調して受信装置に向けて再送する。
【００５０】
ステップ６１０において、基本層のデータのみにエラーがあった場合、第２のコンスタレーションを用いて基本層、上位層の順にデータを変調し、受信装置に向けて再送する。
【００５１】
優れた実施例としては、ＱＰＳＫ＋６４ＱＡＭ階層変調について、送信側が初回に返信された検証報告を受信して、上位層のみにエラーがあったとき、データ上位層の最後の２ビットと基本層の先頭の２ビットとを互換し、第１のコンスタレーションを用いてデータを変調して受信装置に再送する。ステップ６０９に進んでから、二回目に返信された検証報告が依然として上位層のみにエラーがあったとき、データ上位層の先頭の２ビットと基本層の先頭の２ビットとを互換し、第１のコンスタレーションを用いてデータを変調して受信装置に再送する。
【００５２】
図７は、本発明のＭＢＭＳ送信装置の実施例の構造を示す。該装置は、通信ユニット７０１、伝送ユニット７０２、再送計数ユニット７０３、判断ユニット７０４、再送ユニット７０５、上位層再送ユニット７０６及び基本層再送ユニット７０７を備える。
【００５３】
上記伝送ユニット７０２は、上記通信ユニット７０１に接続する。上記再送計数ユニット７０３は、上記通信ユニット７０１に接続する。上記再送ユニット７０５は、上記通信ユニット７０１に接続する。上記判断ユニット７０４は、上記再送計数ユニット７０３に接続する。上記上位層再送ユニット７０６は、上記判断ユニット７０４に接続する。上記基本層再送ユニット７０７は、上記判断ユニット７０４に接続する。上記再送ユニット７０５は、上記判断ユニット７０４に接続する。上記上位層再送ユニット７０６は、上記通信ユニット７０１に接続する。上記基本層再送ユニット７０７は、上記通信ユニット７０１に接続する。
【００５４】
上記通信ユニット７０１は、信号を送信し、受信装置から返信された検証報告を受信する。
【００５５】
上記伝送ユニット７０２は、第１のコンスタレーションを用いて基本層、上位層の順にデータを変調して通信ユニット７０１に伝送し、通信ユニット７０１から送信される。
【００５６】
上記再送計数ユニット７０３は、再送回数を計数する。再送回数が閾値を超えると、再送を停止する。
【００５７】
上記判断ユニット７０４は、上記受信装置の検証報告に基づいて、上位層のみにエラーがあったと判断したとき、上記上位層再送ユニット７０６によって処理が行なわれ、基本層のみにエラーがあったとき、上記基本層再送ユニット７０７によって処理が行なわれ、上位層と基本層の両方にエラーがあったとき、上記再送ユニット７０５によって処理が行なわれる。
【００５８】
上記再送ユニット７０５は、データ上位層の最後の２ビットと基本層の先頭の２ビットとを互換して第２のコンスタレーションを用いてデータを変調して通信ユニット７０１に伝送して、通信ユニット７０１から送信される。
【００５９】
上記上位層再送ユニット７０６は、データ上位層の最後の２ビットと基本層の先頭の２ビットとを互換して第１のコンスタレーションを用いてデータを変調し、上記通信ユニットに７０１に伝送して、通信ユニット７０１から送信される。
【００６０】
優れた実施例としては、ＱＰＳＫ＋６４ＱＡＭ階層変調について、送信側が返信された検証報告を初回に受信して、上位層のみにエラーがあったとき、上記上位層再送ユニット７０６は、データ上位層の最後の２ビットと基本層の先頭の２ビットとを互換し、第１のコンスタレーションを用いてデータを変調して受信装置に再送する。二回目に返信された検証報告が依然として上位層のみにエラーがあった場合、上記上位層再送ユニット７０６は、データを再度に再送するときにデータ上位層の先頭の２ビットと基本層の先頭の２ビットとを互換し、第１のコンスタレーションを用いてデータを変調して受信装置に再送する。
【００６１】
上記基本層再送ユニット７０７は、第２のコンスタレーションで基本層、上位層の順にデータを変調し、上記通信ユニット７０１に伝送して、通信ユニット７０１から送信される。
【００６２】
上記伝送ユニット７０２は、第１のコンスタレーションで基本層、上位層の順にデータを変調し、上記通信ユニット７０１に伝送して、通信ユニット７０１から送信される。上記通信ユニット７０１は、受信装置から返信された検証報告を受信する。上記再送計数ユニット７０３は、再送回数を計数する。再送回数が所定の閾値（例えば３回）を越えたと判断した場合、送信を終了する。超えていない場合、判断ユニット７０４で検証報告におけるエラー状況を判断する。基本層と上位層の両方にエラーがあった場合、再送ユニット７０５によって処理が行なわれ、基本層のみにエラーがあった場合、基本層再送ユニット７０７によって処理が行なわれ、上位層のみにエラーがあった場合、上位層再送ユニット７０６によって処理が行なわれる。上記再送ユニット７０５は、データ上位層の最後の２ビットと基本層の先頭の２ビットとを互換して第２のコンスタレーションを用いてデータを変調する。再送ユニット７０５は、変調されたデータを通信ユニット７０１に伝送して、通信ユニット７０１から再送される。上記上位層再送ユニット７０６は、データ上位層の最後の２ビットと基本層の先頭の２ビットとを互換し第１のコンスタレーションを用いてデータを変調し、通信ユニット７０１に伝送して、通信ユニット７０１から再送される。上記基本層再送ユニット７０７は、基本層と上位層の順を保ち、第２のコンスタレーションでデータを変調し、上記通信ユニット７０１に伝送して、通信ユニット７０１から再送される。
【００６３】
図８は、本発明のＭＢＭＳ受信方法の実施例の流れを示す。
【００６４】
ステップ８０１において、開始する。
【００６５】
ステップ８０２において、初回受信か否かを判断する。初回受信である場合、ステップ８０３に進む。初回受信ではない場合、ステップ８０４に進む。
【００６６】
ステップ８０３において、受信したデータに対して第１のコンスタレーションを用いて復調する。復調後のデータが基本層、上位層の順であり、基本層及び／又は上位層検証報告が返信される。
【００６７】
ステップ８０４において、該受信装置が、自身から返信された検証報告に基づいて、該受信装置がデータ（つまり、再送する必要のないデータ）を正しく受信したかを判断する。データを正しく受信した場合、ステップ８０６に進む。正しく受信していない場合、ステップ８０５に進む。
【００６８】
ステップ８０５において、再送回数が閾値より大きいか否かを判断する。本例では、再送閾値が３回と予め定められている。閾値を超えるとステップ８０５に進み、以下となる場合、ステップ８０６に進む。
【００６９】
ステップ８０６において、終了する。
【００７０】
ステップ８０７において、基本層と上位層の両方にエラーがあったか否かを判断する。両方にエラーがあったとき、ステップ８０８に進むが、両方にエラーがあったのではないとき、ステップ８０９に進む。
【００７１】
ステップ８０８において、再送データを受信するときに、受信したデータを第２のコンスタレーションで復調する。復調後のデータの上位層の最後の２ビットと基本層の先頭の２ビットとを互換して、受信したデータの基本層と上位層を構成し、該交換後の再送データを検証して検証報告を返信する。該検証報告は、再送回数、検証の正確性、上位層のデータのみにエラーがあった情報、基本層のデータのみにエラーがあった情報又は上位層と基本層の両方のデータにエラーがあった情報を含む。上記検証は、復調されたデータをＣＲＣ方法で検証してもよいが、本発明ではＣＲＣ検証方法に限らない。
【００７２】
ステップ８０９において、再送データを受信し、前回の再送時に生成された検証報告に基づき、前回の検証報告が基本層のデータのみにエラーがあった場合、ステップ８１０に進み処理が行なわれ、前回の検証報告が基本層のデータのみにエラーがあったのではない場合、ステップ８１１に進み処理が行なわれる。
【００７３】
ステップ８１０において、基本層のデータのみにエラーがあった場合、受信したデータを第２のコンスタレーションで復調する。復調後のデータ順が基本層、上位層の順である。それから、検証報告を送信装置に返信する。
【００７４】
ステップ８１１において、上位層のデータのみにエラーがあった場合、受信したデータを第１のコンスタレーションで復調する。復調後の再送データの上位層の最後の２ビットと基本層の先頭の２ビットとを互換して、受信したデータの基本層と上位層を構成し、該交換後の再送データを検証して検証報告を送信装置に返信する。
【００７５】
ステップ８１１において、優れた実施例としては、ＱＰＳＫ＋６４ＱＡＭ階層復調について、受信側が初回の検証報告返信時と二回目の検証報告返信時にいずれも上位層のみにエラーがあった場合、送信側が再度にデータを再送するときに、受信装置は、送信側から再送されたデータに基づいてデータ順を取得し、再送データを第１のコンスタレーションで復調し、データ上位層の先頭の２ビットと基本層の先頭の２ビットとを互換し、受信したデータの基本層と上位層を構成し、該交換後の再送データを検証して検証報告を送信装置に返信する。
【００７６】
上記ステップ８０８において、検証するステップの前に分析するステップを更に有する。復調して得た上位層を利用して、第１のコンスタレーションから、最後の２ビットが、上記上位層の最後の２ビットと同一である特定なコンスタレーションポイントを見つけ出し、上記複数の特定なコンスタレーションポイントの真中に座標系を平行にシフトし、四つの象限の内、最後の２ビットが同一である特定なコンスタレーションポイントが座標系に対して対称となるようにする。交換後の再送データのマッピングした点と平行シフト後の座標系における上記特定なコンスタレーションポイントの距離を分析し、前記マッピングした点と距離が最小の特定なコンスタレーションポイントのビット値はマッピングした点のビット値となる。該マッピングした点の基本層と上位層を検証して基本層検証報告を送信装置に返信する。基本層の検証が正しく上位層の検証が正しくない場合、セル境界部ユーザは、検証が正しい報告を送信装置に返信し、再送を停止し、セル中心部ユーザは、上位層のみにエラーがあったという検証報告を送信装置に返信する。基本層の検証が正しくない上位層の検証が正しい場合、基本層のみにエラーがあったという検証報告を送信装置に返信する。基本層と上位層の両方とも正しくない場合、基本層と上位層の両方にエラーがあったという検証報告を送信装置に返信する。
【００７７】
上記ステップ８０８において、復調後のデータ上位層の最後の２ビットと基本層の先頭の２ビットとを互換する前に、更に下記ステップを有する。セル中心部ユーザとセル境界部ユーザは、初回の伝送から、基本層の先頭の２ビットＡを復調し、再送から基本層の先頭の２ビットＢを復調する。ＬＬＲ（Ａ）≧ＬＬＲ（Ｂ）のとき、上記第２のコンスタレーションから、最後の２ビットがＡと同一である特定なコンスタレーションポイントを見つけ出し、上記第２のコンスタレーションの座標系を上記特定なコンスタレーションポイントの真中に平行にシフトし、上記再送データを上記平行シフト後の座標系にマッピングし、上記マッピングした点と上記特定なコンスタレーションポイントとの距離を算出し、距離が最近である特定なコンスタレーションポイントを見つけ出し再送データとする。ＬＬＲ（Ａ）＜ＬＬＲ（Ｂ）のとき、上記再送データ上位層の最後の２ビットと基本層の先頭の２ビットとの互換の後に、上記第１のコンスタレーションから、最後の２ビットが上記交換後の再送データの最後の２ビットと同一である特定なコンスタレーションポイントを見つけ出し、上記第１のコンスタレーションの座標系を上記特定なコンスタレーションポイントの真中に平行にシフトし、上記交換後の再送データを上記平行シフト後の座標系にマッピングし、上記マッピングした点と上記特定なコンスタレーションポイントとの距離を算出し、距離が最近である特定なコンスタレーションポイントを見つけ出し交換後の再送データとする。ＬＬＲ（  ）は、最大尤度演算を示す。
【００７８】
上記ステップ８０９の実施後に更に下記ステップを有する。一部のセルユーザが受信したデータには基本層にエラーがあり、一部のユーザが受信したデータには上位層にエラーがあり、送信側が受信した検証報告には基本層と上位層の両方にエラーがあった場合、再送側がデータを再送するときに、データ上位層の最後の２ビットと基本層の先頭の２ビットとを互換して第２のコンスタレーションを用いて変調して送信する。基本層のみにエラーがあった受信側が再送データを受信すると、その受信側の検証報告が基本層と上位層の両方にエラーがあったのではないと発見し、ステップ８０９に進み、基本層のみにエラーがあったか否かを判断する。そして、送信側から送信された再送データの制御シグナリングの情報に基づいて、現在受信した再送データの順番が基本層、上位層の正常順でなければ、ステップ８０８に進み復調と検証を行なう。基本層、上位層の正常順であれば、ステップ８１０に進み復調と検証を行なう。
【００７９】
図９は、本発明のＭＢＭＳ受信装置の実施例の構造を示す。該装置は、通信ユニット９０１、受信ユニット９０２、再送回数判断ユニット９０３、判断ユニット９０４、分析ユニット９０５、上位層分析ユニット９０６及び基本層分析ユニット９０７を備える。
上記受信ユニット９０２は、上記通信ユニット９０１に接続する。上記再送回数判断ユニット９０３は、上記通信ユニット９０１に接続する。上記分析ユニット９０５は、上記通信ユニット９０１に接続する。上記判断ユニット９０４は、上記再送回数判断ユニット９０３に接続する。上記上位層分析ユニット９０６は、上記判断ユニット９０４に接続する。上記基本層分析ユニット９０７は、上記判断ユニット９０４に接続する。上記分析ユニット９０５は、上記判断ユニット９０４に接続する。上記上位層分析ユニット９０６は、上記通信ユニット９０１に接続する。上記基本層分析ユニット９０７は、上記通信ユニット９０１に接続する。
【００８０】
上記通信ユニット９０１は、信号を受信し、受信装置の検証報告を送信する。自身が返信した検証報告に基づいて、該受信装置がデータ（つまり再送する必要のないデータ）を正しく受信したか否かを判断する。データを正しく受信した場合終了する。
【００８１】
上記受信ユニット９０２は、第１のコンスタレーションを用いて基本層、上位層の順にデータを復調して復調結果の検証報告を通信ユニット９０１に伝送し、通信ユニット９０１から送信される。
【００８２】
再送回数判断ユニット９０３は、再送回数を判断する。再送回数が閾値を超えると、再送を停止する。
【００８３】
上記判断ユニット９０４は、上位層と基本層の両方にエラーがあったと判断した場合、分析ユニット９０５によって処理が行なわれ、上位層のみにエラーがあった場合、上記上位層分析ユニット９０６によって処理が行なわれ、基本層のみにエラーがあったと判断した場合、上記基本層分析ユニット９０７によって処理が行なわれる。
【００８４】
上記分析ユニット９０５は、第２のコンスタレーションを用いて再送データを復調し、上位層の最後の２ビットと基本層の先頭の２ビットとを互換し、交換後の再送データを検証して検証報告を通信ユニット９０１を介して送信する。
【００８５】
上記上位層分析ユニット９０６は、第１のコンスタレーションを用いて再送データを復調し、上位層の最後の２ビットと基本層の先頭の２ビットとを互換し、交換後の再送データを検証して検証報告を通信ユニット９０１を介して送信する。
【００８６】
優れた実施例としては、ＱＰＳＫ＋６４ＱＡＭ階層復調について、上記上位層分析ユニット906は、初回の検証報告返信時と二回目の検証報告返信時に共に上位層のみにエラーがあった場合、送信側が再度にデータを再送するときに、送信側から再送されたデータに基づいてデータ順を取得し、再送データを第１のコンスタレーションで復調し、データ上位層の先頭の２ビットと基本層の先頭の２ビットとを互換し、受信したデータの基本層と上位層を構成し、該交換後の再送データを検証して検証報告を送信装置に返信する。
【００８７】
上記基本層分析ユニット９０７は、第２のコンスタレーションで再送データを復調し、再送データを検証して検証報告を上記通信ユニット９０１を介して送信する。
【００８８】
上記通信ユニット９０１は、送信装置から伝送されたデータを受信して、上記受信ユニット９０２に送信する。上記受信ユニット９０２は、第１のコンスタレーションで復調して基本層、上位層の順に検証し、検証報告を生成して上記通信ユニット９０１に伝送して、通信ユニット９０１から送信される。上記通信ユニット９０１は、送信装置から再送されたデータを受信し、自身が返信した検証報告に基づいて、該受信装置がデータ（つまり再送する必要のないデータ）を正しく受信したか否かを判断する。データを正しく受信した場合終了するが、正しく受信していない場合、データを再送回数判断ユニット９０３に伝送する。再送回数が予め定められた閾値を超えなければ再送データを判断ユニット９０４に伝送するが、超えると終了する。判断ユニット９０４は、検証報告に基づいて、基本層と上位層の両方にエラーがあった場合、分析ユニット９０５によって処理が行なわれ、上位層のみにエラーがあった場合、上位層分析ユニット９０６によって処理が行なわれ、基本層のみにエラーがあった場合、基本層分析ユニット９０７によって処理が行なわれる。上記分析ユニット９０５は、第２のコンスタレーションで再送データを復調し、上位層の最後の２ビットと基本層の先頭の２ビットとを互換し、交換後の再送データを検証して検証報告を通信ユニット９０１に伝送して、通信ユニット９０１から送信される。上記上位層分析ユニット９０６は、第１のコンスタレーションで再送データを復調し、上位層の最後の２ビットと基本層の先頭の２ビットとを互換し、交換後の再送データを検証して検証報告を通信ユニット９０１に伝送して、通信ユニット９０１から送信される。上記基本層分析ユニット９０７は、第２のコンスタレーションで再送データを復調し、基本層、上位層の順に検証して検証報告を通信ユニット９０１に伝送して、通信ユニット９０１から送信される。
【００８９】
上記分析ユニット９０５は、受信したデータを分析し、得られた交換後の再送データ上位層を利用して、第１のコンスタレーションから、最後の２ビットが、上記上位層の最後の２ビットと同一である特定なコンスタレーションポイントを見つけ出し、上記複数の特定なコンスタレーションポイントの真中に座標系を平行にシフトし、四つの象限の内、最後の２ビットが同一である特定なコンスタレーションポイントが座標系に対して対称となるようにする。交換後の再送データのマッピングした点と平行シフト後の座標系における上記特定なコンスタレーションポイントの距離を分析し、前記マッピングした点と距離が最小の特定なコンスタレーションポイントのビット値はマッピングし点のビット値となる。該マッピングした点の基本層と上位層を検証して基本層検証報告を送信装置に返信する。基本層の検証が正しく上位層の検証が正しくない場合、セル境界部ユーザは、検証が正しい報告を送信装置に返信し、再送を停止し、セル中心部ユーザは、上位層のみにエラーがあったという検証報告を送信装置に返信する。基本層の検証が正しくない上位層の検証が正しい場合、基本層のみにエラーがあったという検証報告を送信装置に返信する。基本層と上位層の両方とも正しくない場合、基本層と上位層の両方にエラーがあったという検証報告を送信装置に返信する。
【００９０】
上記分析ユニット９０５は、再送データを分析することは、復調後のデータ上位層の最後の２ビットと基本層の先頭の２ビットとを互換する前に、更に下記ステップを有する。セル中心部ユーザとセル境界部ユーザの受信装置は、初回の伝送から、基本層の先頭の２ビットＡを復調し、再送から基本層の先頭の２ビットＢを復調する。ＬＬＲ（Ａ）≧ＬＬＲ（Ｂ）のとき、上記第２のコンスタレーションから、最後の２ビットがＡと同一である特定なコンスタレーションポイントを見つけ出し、上記第２のコンスタレーションの座標系を上記特定なコンスタレーションポイントの真中に平行にシフトし、上記再送データを上記平行シフト後の座標系にマッピングし、上記マッピングした点と上記特定なコンスタレーションポイントとの距離を算出し、距離が最近である特定なコンスタレーションポイントを見つけ出し再送データとする。ＬＬＲ（Ａ）＜ＬＬＲ（Ｂ）のとき、上記再送データ上位層の最後の２ビットと基本層の先頭の２ビットとの互換の後に、上記第１のコンスタレーションから、最後の２ビットが上記交換後の再送データの最後の２ビットと同一である特定なコンスタレーションポイントを見つけ出し、上記第１のコンスタレーションの座標系を上記特定なコンスタレーションポイントの真中に平行にシフトし、上記交換後の再送データを上記平行シフト後の座標系にマッピングし、上記マッピングした点と上記特定なコンスタレーションポイントとの距離を算出し、距離が最近である特定なコンスタレーションポイントを見つけ出し交換後の再送データとする。
【００９１】
上記判断ユニット９０４は、上記再送データの制御シグナリングのデータ順を更に判断する。基本層、上位層の順であれば上記基本層分析ユニットによって処理が行なわれ、基本層、上位層の順でなければ、上記分析ユニットによって処理が行なわれる。
【００９２】
図１０Ａは、本発明において１６ＱＡＭ＋ＱＰＳＫ階層変調についての第１の実施例の第１のコンスタレーションを示す。図１０Ｂは、本発明において１６ＱＡＭ＋ＱＰＳＫ階層変調についての第１の実施例の第２のコンスタレーションを示す。
【００９３】
上記第１のコンスタレーションと第２のコンスタレーションのうち、上位層が同一のコンスタレーションポイントはコンスタレーションにおける相互距離が可能な限り大きく、しかも、第１のコンスタレーションと第２のコンスタレーションの最後の２ビットが同一のコンスタレーションポイントは、コンスタレーションにおいて均一に分布する。つまり、一つのコンスタレーションポイントを挟む二つごとのコンスタレーションポイントの最後の２ビットが同一とすることで、復調して得られた一部の情報を利用して、再送時の復調の信頼性を増加させる目的を達成する。各変調シンボルが第１のコンスタレーションにマッピングしたコンスタレーションポイントは、該シンボルが含む基本層と上位層のビットの順番を交換してから第２のコンスタレーションにマッピングしたコンスタレーションポイントとは、星座階層ゲインを有する。より好ましい実施形態として、第１のコンスタレーションの第１象限と第３象限のコンスタレーションポイントの位置を交換し、第２象限と第４象限のコンスタレーションポイントの位置を交換することである。しかし、本発明は、上記より好ましい実施形態に限ることはない。図１０Ｃは、本発明において１６ＱＡＭ＋ＱＰＳＫ階層変調についての第２の実施例の第１のコンスタレーションを示す。図１０Ｄは、本発明において１６ＱＡＭ＋ＱＰＳＫ階層変調についての第２の実施例の第２のコンスタレーションを示す。第２の実施例の第１のコンスタレーションと第１の実施例の第２のコンスタレーションと同一であり、第２の実施例の第２のコンスタレーションと第１の実施例の第１のコンスタレーションと同一である。図１０Ｅは、本発明において１６ＱＡＭ＋ＱＰＳＫ階層変調についての第３の実施例の第１のコンスタレーションを示す。図１０Ｆは、本発明において１６ＱＡＭ＋ＱＰＳＫ階層変調についての第３の実施例の第２のコンスタレーションを示す。図１０Ｅの各象限内のコンスタレーションポイントを対角線交換の方式によって、図１０Ｆに示す第２のコンスタレーションを取得することができる。
【００９４】
図１１Ａは、本発明の受信側が１６ＱＡＭ＋ＱＰＳＫ階層変調について、伝送ステップにおいて受信したデータを第１の実施例の第１のコンスタレーションにマッピングした様子を示す。図１１Ｂは、本発明の受信側が１６ＱＡＭ＋ＱＰＳＫ階層変調について、基本層と上位層の両方にエラーがあったときに受信したデータを第１の実施例の第２のコンスタレーションにマッピングした様子を示す。図１１Ｃは、本発明の受信側が１６ＱＡＭ＋ＱＰＳＫ階層変調について、受信したデータを第１の実施例の座標系が平行シフトされた第２のコンスタレーションにマッピングした様子を示す。図１１Ｄは、本発明の受信側が１６ＱＡＭ＋ＱＰＳＫ階層変調について、受信したデータを第１の実施例の座標系が平行シフトされた第１のコンスタレーションにマッピングした様子を示す。図１１Ｅは、本発明の受信側が１６ＱＡＭ＋ＱＰＳＫ階層変調について、基本層のみにエラーがあったときの再送ステップにおいて受信したデータを第１の実施例の第２のコンスタレーションにマッピングした様子を示す。図１１Ｆは、本発明の受信側が１６ＱＡＭ＋ＱＰＳＫ階層変調について、上位層のみにエラーがあったときの再送ステップにおいて受信したデータを第１の実施例の第１のコンスタレーションにマッピングした様子を示す。
【００９５】
ｍは、受信側が受信したデータをコンスタレーションにマッピングした点であり、aは、コンスタレーションポイントとマッピングした点との距離である。本分野の公知常識により、マッピングした点が座標軸から離れれば復調が正確となる。
【００９６】
本例では、送信装置が伝送するデータが００１０であり、基本層（Ｃ１Ｃ２）が００であり、上位層（Ｃ３Ｃ４）が１０である。上記送信装置の伝送ユニット７０２は、初回伝送のため、Ｃ１Ｃ２Ｃ３Ｃ４の順に、第１のコンスタレーションを用いて００１０を変調し、上記通信ユニット７０１に伝送して、通信ユニット７０１から送信される。
【００９７】
セル中心部ユーザとセル境界部ユーザの受信装置が通信ユニット９０１を介してデータを受信して、データ中の情報から今回が初回伝送と知ると、データを受信ユニット９０２に伝送する。上記受信ユニット９０２は、データ中の情報に基づいて、第１のコンスタレーションを用いて復調する。干渉又は信号品質の問題があって、復調後のデータを第１のコンスタレーションにマッピングした位置は、図１１Ａに示されている。本例では、ＳＮＲが高いセル中心部ユーザの受信装置とＳＮＲが低いセル境界部ユーザの受信装置が受信したデータのマッピングした点ｍとコンスタレーションポイント００１００１との距離がaである。上記受信ユニット９０２は、上記データを復調して検証し、検証結果を通信ユニット９０１を介して送信装置に返信する。
【００９８】
（ケース１）
上記送信装置の通信ユニット７０１が受信側から返信された検証報告を受信し、セルにおけるユーザの基本層と上位層と共にエラーがあり、つまり、基本層Ｃ１Ｃ２もエラーがあり上位層Ｃ３Ｃ４もエラーがあると、再送計数ユニット７０３で再送回数を計数し、再送回数が閾値より大きいか否かを判断する。本例では、閾値が３である。閾値より大きくなると終了する。本例の再送回数が閾値より少ないとき判断ユニット７０４に送信する。判断ユニット７０４は、検証報告に基づき、基本層と上位層の両方にエラーがあったとき、再送ユニット７０５によって上記データ００１０の最後の２ビット（Ｃ３Ｃ４：１０）と基本層（Ｃ１Ｃ２：００）の先頭の２ビットと交換し、つまり、Ｃ３Ｃ４Ｃ１Ｃ２の順に、第２のコンスタレーションで変調して通信ユニット７０１から送信される。
【００９９】
セル中心部ユーザとセル境界部ユーザの受信装置の通信ユニット９０１は、該再送データを同時に受信し、自身が返信した検証報告に基づいて該データを処理するか廃棄するか決定する。返信された検証報告から、該受信装置がデータを正しく受信したと示すとき、該再送データを廃棄する。自身が返信した検証報告から、基本層と上位層の両方にエラーがあったとき、再送回数判断ユニット９０３が受信データ中の情報に基づいて、再送回数が閾値より大きいか否かを判断する。本例では閾値が３である。再送回数が閾値より大きくなると、終了するが、初回再送のとき判断ユニット９０４に送信する。上記判断ユニット９０４は、受信したデータの情報から今回の再送データ順のＣ３Ｃ４Ｃ１Ｃ２を取得し、第２のコンスタレーションを用いて変調し、分析ユニット９０５によって第２のコンスタレーションで上記再送データを復調し、得られたマッピングした点ｍが図１１Ｂに示されているように、マッピングした点と正確なコンスタレーションポイントとの距離がaである。
【０１００】
上記分析ユニット９０５は下記ステップを実行する。Ｃ３Ｃ４が基本層にあるため、１６ＱＡＭ＋ＱＰＳＫ階層変調では、Ｃ３Ｃ４が１０であると容易に復調できる。上記分析ユニット９０５は、今回の再送データのＣ３Ｃ４に基づき、再送データの先頭の２ビットと最後の２ビットと交換し、再送データをＣ３Ｃ４Ｃ１Ｃ２からＣ１Ｃ２Ｃ３Ｃ４に順番を変更する。上記分析ユニット９０５は、第１のコンスタレーションから、最後の２ビットが１０である全てのコンスタレーションポイントを見つけ出し特定なコンスタレーションポイントとする。象限ごとに一つの特定なコンスタレーションポイントを有する。          
【０１０１】
座標系を平行にシフトして、図１１Ｄの点線で示す座標系のように、座標原点を四つの象限内の四つのコンスタレーションポイントの真中に位置させる。横線付きのコンスタレーションポイントが最後の２ビットが１０の特定なコンスタレーションポイントである。平行シフト後の座標系内に、上記交換後の再送データをマッピングした点ｍに最も近い特定なコンスタレーションポイントは、伝送するデータとされる。本例では、マッピングした点に最も近い特定なコンスタレーションポイントが００１０である。上記セル中心部ユーザは、再送データ中のＣ３Ｃ４に基づいて、第１のコンスタレーションによって分析を行ないＣ１Ｃ２を得てＣ１Ｃ２Ｃ３Ｃ４を構成する。セル境界部ユーザは、再送データ中のＣ３Ｃ４に基づいて、第１のコンスタレーションによって分析を行ないＣ１Ｃ２を得る。分析ユニット９０５が上記交換後の再送データ、つまりＣ１Ｃ２とＣ３Ｃ４を例えばＣＲＣ検証方法で検証し、検証報告を通信ユニット９０１を介して送信装置に返信する。検証が正しくないと、基本層及び／又は上位層検証エラーの報告を返信してもよい。            
【０１０２】
本例では、復調して得た受信データが伝送データと同一のため、検証結果が正しい。送信装置が該検証報告を受信すると該データの伝送を終了する。
【０１０３】
上記分析ユニット９０５は下記ステップを実行してもよい。初回伝送時に基本層データＣ１Ｃ２＊を復調し、再送時に基本層データＣ３Ｃ４＊を復調する。ＬＬＲ（Ｃ１Ｃ２＊）≧ＬＬＲ（Ｃ３Ｃ４＊）のとき、初回伝送時のＣ１Ｃ２＊が正しいことの信頼性が、再送時のＣ３Ｃ４＊が正しいことの信頼性より大きいとする。上記分析ユニット９０５は、第２のコンスタレーションから、最後の２ビットが００である全てのコンスタレーションポイントを見つけ出し特定なコンスタレーションポイントとする。象限ごとに一つの特定なコンスタレーションポイントを有する。座標系を平行にシフトして、図１１Ｃの点線で示す座標系のように、座標原点を四つの象限内の四つのコンスタレーションポイントの真中に位置させる。横線付きのコンスタレーションポイントは、最後の２ビットが００の特定なコンスタレーションポイントである。平行シフト後の座標系内に、上記再送データ（Ｃ３Ｃ４Ｃ１Ｃ２）をマッピングした点ｍに最も近い特定なコンスタレーションポイントは、再送するデータとされる。本例では、マッピングした点に最も近い特定なコンスタレーションポイントが１０００である。上記セル中心部ユーザは、初回伝送時のＣ１Ｃ２＊に基づいて、第２のコンスタレーションによって分析を行ないＣ３Ｃ４を得る。            
【０１０４】
セル境界部ユーザは、上記最大尤度の推定に基づいてＣ１Ｃ２を得る。分析ユニット９０５が上記分析して得た再送データをＣ１Ｃ２Ｃ３Ｃ４に順番変更して検証し、つまりＣ１Ｃ２とＣ３Ｃ４を例えばＣＲＣ検証方法で検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１０５】
ＬＬＲ（Ｃ１Ｃ２＊）＜ＬＬＲ（Ｃ３Ｃ４＊）のとき、本例では、再送データのＣ３Ｃ４＊が基本層にあるため、１６ＱＡＭ＋ＱＰＳＫ階層変調では、Ｃ３Ｃ４＊が１０であると容易に復調できるので、初回伝送時のＣ１Ｃ２＊が正しいことの信頼性が、再送時のＣ３Ｃ４＊が正しいことの信頼性より小さいとする。上記分析ユニット９０５は、再送データの先頭の２ビットと最後の２ビットと交換し、再送データの順番をＣ３Ｃ４Ｃ１Ｃ２からＣ１Ｃ２Ｃ３Ｃ４に変更する。上記分析ユニット９０５は、第１のコンスタレーションから、最後の２ビットが１０である全てのコンスタレーションポイントを見つけ出し特定なコンスタレーションポイントとする。象限ごとに一つの特定なコンスタレーションポイントを有する。座標系を平行にシフトして、図１１Ｄの点線で示す座標系のように、座標原点を四つの象限内の四つのコンスタレーションポイントの真中に位置させる。横線付きのコンスタレーションポイントが最後の２ビットが１０の特定なコンスタレーションポイントである。平行シフト後の座標系内に、上記交換後の再送データをマッピングした点ｍに最も近い特定なコンスタレーションポイントは、伝送するデータとされる。本例では、マッピングした点に最も近い特定なコンスタレーションポイントが００１０である。上記セル中心部ユーザは、再送データ中のＣ３Ｃ４＊に基づいて、第１のコンスタレーションによって分析を行ないＣ１Ｃ２を得てＣ１Ｃ２Ｃ３Ｃ４を構成する。セル境界部ユーザは、再送データ中のＣ３Ｃ４＊に基づいて、第１のコンスタレーションによって分析を行ないＣ１Ｃ２を得る。分析ユニット９０５が上記交換後の再送データを検証し、つまりＣ１Ｃ２とＣ３Ｃ４を例えばＣＲＣ検証方法で検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１０６】
送信装置が再送ユニット７０５を介して再送データを送信し、受信装置が基本層のみにエラーがあった場合、判断ユニット９０４が再送データの制御シグナリングにおける情報を判断して今回の再送のデータ順がＣ３Ｃ４Ｃ１Ｃ２であると知ると、分析ユニット９０５によって処理が行なわれる。
【０１０７】
（ケース２）
上記送信装置の通信ユニット７０１が受信側から返信された検証報告を受信し、基本層のみにエラーがあり、つまりＣ１Ｃ２だけがエラーがあったとき、再送計数ユニット７０３で再送回数を計数し、再送回数が閾値より大きいか否かを判断する。本例では、閾値が３である。閾値より大きくなると終了する。本例の再送回数が閾値より少ないとき判断ユニット７０４に送信する。判断ユニット７０４は、検証報告に基づき、基本層にエラーがあったとき、基本層再送ユニット７０６を利用して上記データをＣ１Ｃ２Ｃ３Ｃ４の順に、第２のコンスタレーションで変調して通信ユニット７０１から送信される。
【０１０８】
セル中心部ユーザとセル境界部ユーザの受信装置の通信ユニット９０１は、該再送データを同時に受信し、自身が返信した検証報告に基づいて該データを処理するか廃棄するか決定する。返信された検証報告から、該受信装置がデータを正しく受信したと示すとき、該再送データを廃棄する。自身が返信した検証報告から、基本層のみにエラーがあったとき、再送回数判断ユニット９０３が受信データ中の情報に基づいて、再送回数が閾値より大きいか否かを判断する。本例では閾値が３である。再送回数が閾値より大きくなると、終了するが、本例の再送回数が閾値より小さく、判断ユニット９０４に送信する。上記判断ユニット９０４は、再送データからデータ順のＣ１Ｃ２Ｃ３Ｃ４を取得し、第２のコンスタレーションを用いて変調し、基本層分析ユニット９０６を利用して第２のコンスタレーションで上記再送データを復調し、得られたマッピングした点が図１１Ｅに示されているように、マッピングした点と正確なコンスタレーションポイントとの距離がaである。マッピングした点が座標軸から離れれば、１６ＱＡＭ＋ＱＰＳＫ階層変調では、Ｃ１Ｃ２が００であることを容易に復調できる。基本層分析ユニット９０６は、上記分析して得たデータを例えばＣＲＣ検証方法でＣ１Ｃ２とＣ３Ｃ４を検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１０９】
（ケース３）
上記送信装置の通信ユニット７０１が受信側から返信された検証報告を受信し、上位層のみにエラーがあり、つまりＣ３Ｃ４だけがエラーがあったとき、再送計数ユニット７０３で再送回数を計数し、再送回数が閾値より大きいか否かを判断する。本例では、閾値が３である。閾値より大きくなると終了する。本例の再送回数が閾値より少ないとき判断ユニット７０４に送信する。判断ユニット７０４は、検証報告に基づき、上位層にエラーがあったとき、上位層再送ユニット７０７を利用して上記データをＣ３Ｃ４Ｃ１Ｃ２の順に、第１のコンスタレーションで変調して通信ユニット７０１から送信される。
【０１１０】
セル中心部ユーザとセル境界部ユーザの受信装置の通信ユニット９０１は、該再送データを同時に受信し、自身が返信した検証報告に基づいて該データを処理するか廃棄するか決定する。返信された検証報告から、該受信装置がデータを正しく受信したと示すとき、該再送データを廃棄する。自身が返信した検証報告から、上位層のみにエラーがあったとき、再送回数判断ユニット９０３が受信データ中の情報に基づいて、再送回数が閾値より大きいか否かを判断する。本例では閾値が３である。再送回数が閾値より大きくなると、終了するが、本例の再送回数が閾値より小さく、判断ユニット９０４に送信する。上記判断ユニット９０４は、再送データからデータ順のＣ３Ｃ４Ｃ１Ｃ２を取得し、第１のコンスタレーションを用いて変調し、上位層分析ユニット９０７を利用して第１のコンスタレーションで上記再送データを復調し、得られたマッピングした点が図１１Ｆに示されているように、マッピングした点と正確なコンスタレーションポイントとの距離がaである。Ｃ３Ｃ４が基本層にあるため、１６ＱＡＭ＋ＱＰＳＫ階層変調では、Ｃ３Ｃ４が１０であることを容易に復調できる。上位層分析ユニット９０７は、上記再送データを、Ｃ３Ｃ４Ｃ１Ｃ２からＣ１Ｃ２Ｃ３Ｃ４に順番変更する。交換後の再送データを例えばＣＲＣ検証方法で基本層のＣ１Ｃ２と上位層のＣ３Ｃ４を検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１１１】
図１２Ａは、本発明が１６ＱＡＭ＋６４ＱＡＭとＱＰＳＫ＋６４ＱＡＭ階層変調についての第１の実施例の第１のコンスタレーションを示す。図１２Ｂは、本発明が１６ＱＡＭ＋６４ＱＡＭとＱＰＳＫ＋６４ＱＡＭ階層変調についての第１の実施例の第２のコンスタレーションを示す。
【０１１２】
上記第１のコンスタレーションと第２のコンスタレーションのうち、上位層が同一のコンスタレーションポイントはコンスタレーションにおける相互距離が可能な限り大きく、しかも、第１のコンスタレーションと第２のコンスタレーションの最後の２ビットが同一のコンスタレーションポイントは、コンスタレーションにおいて均一に分布する。つまり、一つのコンスタレーションポイントを挟む二つごとのコンスタレーションポイントの最後の２ビットが同一とすることで、復調して得られた一部の情報を利用して、再送時の復調の信頼性を増加させる目的を達成する。各変調シンボルが第１のコンスタレーションにマッピングしたコンスタレーションポイントは、該シンボルが含む基本層と上位層のビットの順番を交換してから第２のコンスタレーションにマッピングしたコンスタレーションポイントとは、星座階層ゲインを有する。より好ましい実施形態として、第１のコンスタレーションの第１象限と第３象限のコンスタレーションポイントの位置を変えて、第２象限と第４象限のコンスタレーションポイントの位置を変えることである。しかし、本発明は、上記のより好ましい実施形態に限ることはない。図１２Ｃは、本発明が１６ＱＡＭ＋６４ＱＡＭとＱＰＳＫ＋６４ＱＡＭ階層変調についての第２の実施例の第１のコンスタレーションを示す。図１２Ｄは、本発明が１６ＱＡＭ＋６４ＱＡＭとＱＰＳＫ＋６４ＱＡＭ階層変調についての第２の実施例の第２のコンスタレーションを示す。第２の実施例の第１のコンスタレーションと第１の実施例の第２のコンスタレーションと同一であり、第２の実施例の第２のコンスタレーションと第１の実施例の第１のコンスタレーションと同一である。図１２Ｅは、本発明が１６ＱＡＭ＋６４ＱＡＭとＱＰＳＫ＋６４ＱＡＭ階層変調についての第３の実施例の第１のコンスタレーションを示す。図１２Ｆは、本発明が１６ＱＡＭ＋６４ＱＡＭとＱＰＳＫ＋６４ＱＡＭ階層変調についての第３の実施例の第２のコンスタレーションを示す。
【０１１３】
図１３Ａは、本発明の受信側が１６ＱＡＭ＋６４ＱＡＭ階層変調について、伝送ステップにおいて受信したデータを第１の実施例の第１のコンスタレーションにマッピングした様子を示す。図１３Ｂは、本発明の受信側が１６ＱＡＭ＋６４ＱＡＭ階層変調について、基本層と上位層の両方にエラーがあったときに受信したデータを第１の実施例の第２のコンスタレーションにマッピングした様子を示す。図１３Ｃは、本発明の受信側が１６ＱＡＭ＋６４ＱＡＭ階層変調について、受信したデータを第１の実施例の座標系が平行シフトされた第２のコンスタレーションにマッピングした様子を示す。図１３Ｄは、本発明の受信側が１６ＱＡＭ＋６４ＱＡＭ階層変調について、受信したデータを第１の実施例の座標系が平行シフトされた第１のコンスタレーションにマッピングした後の状況を示す。図１３Ｅは、本発明の受信側が１６ＱＡＭ＋６４ＱＡＭ階層変調について、基本層のみにエラーがあったときの再送ステップにおいて受信したデータを第１の実施例の第２のコンスタレーションにマッピングした様子を示す。図１３Ｆは、本発明の受信側が１６ＱＡＭ＋６４ＱＡＭ階層変調について、上位層のみにエラーがあったときの再送ステップにおいて受信したデータを第１の実施例の第１のコンスタレーションにマッピングした様子を示す。
【０１１４】
ｍは、受信側が受信したデータをコンスタレーションにマッピングした点であり、aは、コンスタレーションポイントとマッピングした点との距離である。本分野の公知常識により、マッピングした点が座標軸から離れれば復調が正確となる。
【０１１５】
本例では、送信装置が伝送するデータが００１００１であり、基本層（Ｃ１Ｃ２Ｃ３Ｃ４）が００１０であり、上位層（Ｃ５Ｃ６）が０１である。上記送信装置の伝送ユニット７０２は、初回伝送のため、Ｃ１Ｃ２Ｃ３Ｃ４Ｃ５Ｃ６の順に、第１のコンスタレーションを用いて００１００１を変調し、上記通信ユニット７０１に伝送して、通信ユニット７０１から送信される。
【０１１６】
セル中心部ユーザとセル境界部ユーザの受信装置が通信ユニット９０１を介してデータを受信して、データ中の情報から今回が初回伝送と知ると、データを受信ユニット９０２に伝送する。上記受信ユニット９０２は、データ中の情報に基づいて、第１のコンスタレーションを用いて復調する。干渉又は信号品質の問題があって、復調後のデータを第１のコンスタレーションにマッピングした位置は、図１３Ａに示されている。本例では、ＳＮＲが高いユーザの受信装置とＳＮＲが低いユーザの受信装置が受信したデータをマッピングした点ｍとコンスタレーションポイント００１００１との距離がaである。上記受信ユニット９０２は、上記データを復調して検証し、検証結果を通信ユニット９０１を介して送信装置に返信する。
【０１１７】
（ケース１）
上記送信装置の通信ユニット７０１が受信側から返信された検証報告を受信し、基本層と上位層の両方にエラーがあり、つまり、基本層Ｃ１Ｃ２Ｃ３Ｃ４もエラーがあり上位層Ｃ５Ｃ６もエラーがあると、再送計数ユニット７０３で再送回数を計数し、再送回数が閾値より大きいか否かを判断する。本例では、閾値が３である。閾値より大きくなると終了する。本例の再送回数が閾値より少ないとき判断ユニット７０４に送信する。判断ユニット７０４は、検証報告に基づき、基本層と上位層の両方にエラーがあったとき、再送ユニット７０５を利用して上記データ００１００１の最後の２ビット（Ｃ５Ｃ６：０１）と基本層（Ｃ１Ｃ２Ｃ３Ｃ４：００１０）の先頭の２ビット（００）と交換し、Ｃ５Ｃ６Ｃ３Ｃ４Ｃ１Ｃ２：０１１０００を構成し、第２のコンスタレーションで変調して通信ユニット７０１から送信される。
【０１１８】
セル中心部ユーザとセル境界部ユーザの受信装置の通信ユニット９０１は、該再送データを同時に受信し、自身が返信した検証報告に基づいて該データを処理するか廃棄するか決定する。返信された検証報告から、該受信装置がデータを正しく受信したと示すとき、該再送データを廃棄する。自身が返信した検証報告から、基本層と上位層の両方にエラーがあったとき、再送回数判断ユニット９０３が受信データ中の情報に基づいて、再送回数が閾値より大きいか否かを判断する。本例では閾値が３である。再送回数が閾値より大きくなると、終了するが、初回再送のとき判断ユニット９０４に送信する。上記判断ユニット９０４は、受信したデータの情報から今回の再送データ順のＣ５Ｃ６Ｃ３Ｃ４Ｃ１Ｃ２を取得し、第２のコンスタレーションを用いて変調し、分析ユニット９０５を利用して第２のコンスタレーションで上記再送データを復調し、得られたマッピングした点が図１３Ｂに示されているように、マッピングした点と正確なコンスタレーションポイントとの距離がaである。
【０１１９】
上記分析ユニット９０５は下記ステップを実行する。Ｃ５Ｃ６が基本層にあるため、１６ＱＡＭ＋６４ＱＡＭ階層変調では、Ｃ５Ｃ６が０１であると容易に復調できる。上記分析ユニット９０５は、上記再送データ上位層の最後の２ビットと基本層の先頭の２ビットと交換し、再送データをＣ５Ｃ６Ｃ３Ｃ４Ｃ１Ｃ２からＣ１Ｃ２Ｃ３Ｃ４Ｃ５Ｃ６に順番を変更する。上記分析ユニット９０５は、第１のコンスタレーションから、最後の２ビットが０１である全てのコンスタレーションポイントを見つけ出し特定なコンスタレーションポイントとする。象限ごとに四つの特定なコンスタレーションポイントを有する。          
【０１２０】
座標系を平行にシフトして、図１３Ｄの点線で示す座標系のように、座標原点を四つの象限内の十六個のコンスタレーションポイントの真中に位置させる。横線付きのコンスタレーションポイントは最後の２ビットが０１の特定なコンスタレーションポイントである。平行シフト後の座標系内に、マッピングした点ｍに最も近い特定なコンスタレーションポイントは、伝送するデータとされる。本例では、マッピングした点に最も近い特定なコンスタレーションポイントが００１００１である。上記セル中心部ユーザは、再送データ中のＣ５Ｃ６に基づいて、第１のコンスタレーションによって分析を行ないＣ１Ｃ２Ｃ３Ｃ４を得る。セル境界部ユーザは、上記第１のコンスタレーションによって分析を行ないＣ１Ｃ２Ｃ３Ｃ４を得る。分析ユニット９０５が上記分析して得た交換後の再送データ、つまりＣ１Ｃ２Ｃ３Ｃ４とＣ５Ｃ６を例えばＣＲＣ検証方法で検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１２１】
上記分析ユニット９０５は下記ステップを実行してもよい。初回伝送時にＣ１Ｃ２＊を復調し、再送時にＣ５Ｃ６＊を復調する。ＬＬＲ（Ｃ１Ｃ２＊）≧ＬＬＲ（Ｃ５Ｃ６＊）のとき、初回伝送時のＣ１Ｃ２＊が正しいことの信頼性が、再送時のＣ５Ｃ６＊が正しいことの信頼性より大きいとする。上記分析ユニット９０５は、第２のコンスタレーションから、最後の２ビットが００である全てのコンスタレーションポイントを見つけ出し特定なコンスタレーションポイントとする。象限ごとに四つの特定なコンスタレーションポイントを有する。座標系を平行にシフトして、図１３Ｃの点線で示す座標系のように、座標原点を四つの象限内の十六個のコンスタレーションポイントの真中に位置させる。横線付きのコンスタレーションポイントが最後の２ビットが００の特定なコンスタレーションポイントである。平行シフト後の座標系内に、上記再送データをマッピングした点ｍに最も近い特定なコンスタレーションポイントは、再送するデータとされる。本例では、マッピングした点に最も近い特定なコンスタレーションポイントが０１１０００（Ｃ５Ｃ６Ｃ３Ｃ４Ｃ１Ｃ２）である。上記セル中心部ユーザは、初回伝送時のＣ１Ｃ２＊に基づいて、第２のコンスタレーションによって分析を行ないＣ３Ｃ４Ｃ５Ｃ６を得る。セル境界部ユーザは、上記第２のコンスタレーションに基づいて分析してＣ１Ｃ２Ｃ３Ｃ４を得る。分析ユニット９０５が上記再送データを、Ｃ５Ｃ６Ｃ３Ｃ４Ｃ１Ｃ２からＣ１Ｃ２Ｃ３Ｃ４Ｃ５Ｃ６に順番変更して検証し、つまりＣ１Ｃ２Ｃ３Ｃ４とＣ５Ｃ６を例えばＣＲＣ検証方法で検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１２２】
ＬＬＲ（Ｃ１Ｃ２＊）＜ＬＬＲ（Ｃ５Ｃ６＊）のとき、初回伝送時のＣ１Ｃ２＊が正しいことの信頼性が、再送時のＣ５Ｃ６＊が正しいことの信頼性より小さいとする。本例では、Ｃ５Ｃ６＊が基本層にあるため、１６ＱＡＭ＋６４ＱＡＭ階層変調では、Ｃ５Ｃ６＊が０１であると容易に復調できる。上記分析ユニット９０５は、上記再送データ上位層の最後の２ビットと基本層の先頭の２ビットと互換し、再送データの順番をＣ５Ｃ６Ｃ３Ｃ４Ｃ１Ｃ２からＣ１Ｃ２Ｃ３Ｃ４Ｃ５Ｃ６に変更する。上記分析ユニット９０５は、第１のコンスタレーションから、最後の２ビットが０１である全てのコンスタレーションポイントを見つけ出し特定なコンスタレーションポイントとする。象限ごとに四つの特定なコンスタレーションポイントを有する。座標系を平行にシフトして、図１３Ｄの点線で示す座標系のように、座標原点を四つの象限内の十六個のコンスタレーションポイントの真中に位置させる。横線付きのコンスタレーションポイントが最後の２ビットが０１の特定なコンスタレーションポイントである。平行シフト後の座標系内に、上記マッピングした点ｍに最も近い特定なコンスタレーションポイントは、伝送するデータとされる。本例では、マッピングした点に最も近い特定なコンスタレーションポイントが００１００１である。上記セル中心部ユーザは、再送データ中のＣ５Ｃ６＊に基づいて、第１のコンスタレーションによって分析を行ないＣ１Ｃ２Ｃ３Ｃ４を得る。セル境界部ユーザは、上記第１のコンスタレーションに基づいて分析して、Ｃ１Ｃ２Ｃ３Ｃ４を得る。分析ユニット９０５が上記分析して得た交換後の再送データを検証し、つまりＣ１Ｃ２Ｃ３Ｃ４とＣ５Ｃ６を例えばＣＲＣ検証方法で検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１２３】
送信装置が再送ユニット７０５を介して再送データを送信し、受信装置が基本層のみにエラーがあった場合、判断ユニット９０４が再送データの制御シグナリングにおける情報を判断して今回の再送のデータ順がＣ５Ｃ６Ｃ３Ｃ４Ｃ１Ｃ２であると知ると、分析ユニット９０５を利用して処理を行なう。
【０１２４】
（ケース２）
上記送信装置の通信ユニット７０１が受信側から返信された検証報告を受信し、基本層のみにエラーがあり、つまりＣ１Ｃ２Ｃ３Ｃ４だけがエラーがあったとき、再送計数ユニット７０３で再送回数を計数し、再送回数が閾値より大きいか否かを判断する。本例では、閾値が３である。閾値より大きくなると終了する。本例の再送回数が閾値より少ないとき判断ユニット７０４に送信する。判断ユニット７０４は、検証報告に基づき、基本層にエラーがあったとき、基本層再送ユニット７０６を利用して上記データをＣ１Ｃ２Ｃ３Ｃ４Ｃ５Ｃ６の順に、第２のコンスタレーションで変調して通信ユニット７０１から送信される。
【０１２５】
セル中心部ユーザとセル境界部ユーザの受信装置の通信ユニット９０１は、該再送データを同時に受信し、自身が返信した検証報告に基づいて該データを処理するか廃棄するか決定する。返信された検証報告から、該受信装置がデータを正しく受信したと示すとき、該再送データを廃棄する。自身が返信した検証報告から、基本層のみにエラーがあったとき、再送回数判断ユニット９０３が受信データ中の情報に基づいて、再送回数が閾値より大きいか否かを判断する。本例では閾値が３である。再送回数が閾値より大きくなると、終了するが、本例の再送回数が閾値より小さく、判断ユニット９０４に送信する。上記判断ユニット９０４は、再送データからデータ順のＣ１Ｃ２Ｃ３Ｃ４Ｃ５Ｃ６を取得し、第２のコンスタレーションを用いて変調し、基本層分析ユニット９０６を利用して第２のコンスタレーションで上記データを復調し、得られた再送データをマッピングした点が図１３Ｅに示されているように、マッピングした点と正確なコンスタレーションポイントとの距離がaである。マッピングした点が座標軸から離れれば、１６ＱＡＭ＋６４ＱＡＭ階層変調では、Ｃ１Ｃ２Ｃ３Ｃ４が００１０であることを容易に復調できる。基本層分析ユニット９０６は、上記分析して得たデータを例えばＣＲＣ検証方法で基本層のＣ１Ｃ２Ｃ３Ｃ４と上位層のＣ５Ｃ６を検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１２６】
（ケース３）
上記送信装置の通信ユニット７０１が受信側から返信された検証報告を受信し、上位層のみにエラーがあり、つまりＣ５Ｃ６だけがエラーがあったとき、再送計数ユニット７０３で再送回数を計数し、再送回数が閾値より大きいか否かを判断する。本例では、閾値が３である。閾値より大きくなると終了する。本例の再送回数が閾値より少ないとき判断ユニット７０４に送信する。判断ユニット７０４は、検証報告に基づき、上位層にエラーがあったとき、上位層再送ユニット７０７を利用して上記データをＣ５Ｃ６Ｃ３Ｃ４Ｃ１Ｃ２の順に、第１のコンスタレーションで変調して通信ユニット７０１から送信される。
【０１２７】
セル中心部ユーザとセル境界部ユーザの受信装置の通信ユニット９０１は、該再送データを同時に受信し、自身が返信した検証報告に基づいて該データを処理するか廃棄するか決定する。返信された検証報告から、該受信装置がデータを正しく受信したと示すとき、該再送データを廃棄する。自身が返信した検証報告から、上位層のみにエラーがあったとき、再送回数判断ユニット９０３が受信データ中の情報に基づいて、再送回数が閾値より大きいか否かを判断する。本例では閾値が３である。再送回数が閾値より大きくなると、終了するが、本例の再送回数が閾値より小さく、判断ユニット９０４に送信する。上記判断ユニット９０４は、再送データからデータ順のＣ５Ｃ６Ｃ３Ｃ４Ｃ１Ｃ２を取得し、第１のコンスタレーションを用いて変調し、上位層分析ユニット９０７を利用して第１のコンスタレーションで上記データを復調し、得られた再送データをマッピングした点が図１３Ｆに示されているように、マッピングした点と正確なコンスタレーションポイントとの距離がaである。Ｃ５Ｃ６が基本層にあるため、１６ＱＡＭ＋６４ＱＡＭ階層変調では、Ｃ５Ｃ６が０１であることを容易に復調できる。上位層分析ユニット９０７は、上記再送データを、Ｃ５Ｃ６Ｃ３Ｃ４Ｃ１Ｃ２からＣ１Ｃ２Ｃ３Ｃ４Ｃ５Ｃ６に順番変更する。変更後の再送データを例えばＣＲＣ検証方法で基本層のＣ１Ｃ２Ｃ３Ｃ４と上位層のＣ５Ｃ６を検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１２８】
図１４Ａは、本発明の受信側がＱＰＳＫ＋６４ＱＡＭ階層変調について、伝送ステップにおいて受信したデータを第１の実施例の第１のコンスタレーションにマッピングした様子を示す。図１４Ｂは、本発明の受信側がＱＰＳＫ＋６４ＱＡＭ階層変調について、基本層と上位層の両方にエラーがあったときに受信したデータを第１の実施例の第２のコンスタレーションにマッピングした様子を示す。図１４Ｃは、本発明の受信側がＱＰＳＫ＋６４ＱＡＭ階層変調について、受信したデータを第１の実施例の座標系が平行シフトされた第２のコンスタレーションにマッピングした様子を示す。図１４Ｄは、本発明の受信側がＱＰＳＫ＋６４ＱＡＭ階層変調について、受信したデータを第１の実施例の座標系が平行シフトされた第１のコンスタレーションにマッピングした様子を示す。図１４Ｅは、本発明の受信側がＱＰＳＫ＋６４ＱＡＭ階層変調について、基本層のみにエラーがあったときの再送ステップにおいて受信したデータを第１の実施例の第２のコンスタレーションにマッピングした様子を示す。図１４Ｆは、本発明の受信側がＱＰＳＫ＋６４ＱＡＭ階層変調について、上位層のみにエラーがあったときの再送ステップにおいて受信したデータを第１の実施例の第１のコンスタレーションにマッピングした様子を示す。
【０１２９】
ｍは、受信側が受信したデータをコンスタレーションにマッピングした点であり、aは、コンスタレーションポイントとマッピングした点との距離である。本分野の公知常識により、マッピングした点が座標軸から離れれば復調が正確となる。
【０１３０】
本例では、送信装置が伝送するデータが００１００１であり、基本層（Ｃ１Ｃ２）が００であり、上位層（Ｃ３Ｃ４Ｃ５Ｃ６）が１００１である。上記送信装置の伝送ユニット７０２は、初回伝送のため、Ｃ１Ｃ２Ｃ３Ｃ４Ｃ５Ｃ６の順に、第１のコンスタレーションを用いて００１００１を変調し、上記通信ユニット７０１に伝送して、通信ユニット７０１から送信される。
【０１３１】
セル中心部ユーザとセル境界部ユーザの受信装置が通信ユニット９０１を介してデータを受信して、データ中の情報から今回が初回伝送と知ると、データを受信ユニット９０２に伝送する。上記受信ユニット９０２は、データ中の情報に基づいて、第１のコンスタレーションを用いて復調する。干渉又は信号品質の問題があって、復調後のデータを第１のコンスタレーションにマッピングした位置は、図１４Ａに示されている。本例では、ＳＮＲが高いユーザの受信装置とＳＮＲが低いユーザの受信装置が受信したデータをマッピングした点ｍとコンスタレーションポイント００１００１との距離がaである。上記受信ユニット９０２は、上記データを復調して検証し、検証結果を通信ユニット９０１を介して送信装置に返信する。
【０１３２】
（ケース１）
上記送信装置の通信ユニット７０１が受信側から返信された検証報告を受信し、セルにおけるユーザの基本層と上位層との両方にエラーがあり、つまり、基本層Ｃ１Ｃ２もエラーがあり上位層Ｃ３Ｃ４Ｃ５Ｃ６もエラーがあると、再送計数ユニット７０３で再送回数を計数し、再送回数が閾値より大きいか否かを判断する。本例では、閾値が３である。閾値より大きくなると終了する。本例の再送回数が閾値より少ないとき判断ユニット７０４に送信する。判断ユニット７０４は、検証報告に基づき、基本層と上位層の両方にエラーがあったとき、再送ユニット７０５を利用して上記データ００１００１の最後の２ビット（Ｃ５Ｃ６：０１）と基本層（Ｃ１Ｃ２：００）の先頭の２ビットと交換し、Ｃ５Ｃ６Ｃ３Ｃ４Ｃ１Ｃ２：０１１０００を構成し、第２のコンスタレーションで変調して通信ユニット７０１から送信される。
【０１３３】
セル中心部ユーザとセル境界部ユーザの受信装置の通信ユニット９０１は、該再送データを同時に受信し、自身が返信した検証報告に基づいて該データを処理するか廃棄するか決定する。返信された検証報告から、該受信装置がデータを正しく受信したと示すとき、該再送データを廃棄する。自身が返信した検証報告から、基本層と上位層の両方にエラーがあったとき、再送回数判断ユニット９０３が受信データ中の情報に基づいて、再送回数が閾値より大きいか否かを判断する。本例では閾値が３である。再送回数が閾値より大きくなると、終了するが、初回再送のとき判断ユニット９０４に送信する。上記判断ユニット９０４は、受信したデータの情報から今回の再送データ順のＣ５Ｃ６Ｃ３Ｃ４Ｃ１Ｃ２を取得し、第２のコンスタレーションを用いて変調し、分析ユニット９０５を利用して第２のコンスタレーションで上記再送データを復調し、得られたマッピングした点が図１４Ｂに示されているように、マッピングした点と正確なコンスタレーションポイントとの距離がaである。
【０１３４】
上記分析ユニット９０５は下記ステップを実行する。Ｃ５Ｃ６が基本層にあるため、ＱＰＳＫ＋６４ＱＡＭ階層変調では、Ｃ５Ｃ６が０１であると容易に復調できる。上記分析ユニット９０５は、上記再送データ上位層の最後の２ビットと基本層の先頭の２ビットと交換し、再送データをＣ５Ｃ６Ｃ３Ｃ４Ｃ１Ｃ２からＣ１Ｃ２Ｃ３Ｃ４Ｃ５Ｃ６に順番を変更する。第１のコンスタレーションから、最後の２ビットが０１である全てのコンスタレーションポイントを見つけ出し特定なコンスタレーションポイントとする。象限ごとに四つの特定なコンスタレーションポイントを有する。座標系を平行にシフトして、図１４Ｄの点線で示す座標系のように、座標原点を四つの象限内の十六個のコンスタレーションポイントの真中に位置させる。横線付きのコンスタレーションポイントが最後の２ビットが０１の特定なコンスタレーションポイントである。平行シフト後の座標系内に、上記マッピングした点ｍに最も近い特定なコンスタレーションポイントは、伝送するデータとされる。本例では、マッピングした点に最も近い特定なコンスタレーションポイントが００１００１である。上記セル中心部ユーザは、再送データ中のＣ５Ｃ６に基づいて、第１のコンスタレーションによって分析を行ないＣ１Ｃ２Ｃ３Ｃ４を得る。セル境界部ユーザは、再送のＣ５Ｃ６に基づいて第１のコンスタレーションによって分析を行ないＣ１Ｃ２を得る。分析ユニット９０５が上記分析して得た変更後の再送データ、つまりＣ１Ｃ２とＣ３Ｃ４Ｃ５Ｃ６を例えばＣＲＣ検証方法で検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１３５】
上記分析ユニット９０５は下記ステップを実行してもよい。初回伝送時にＣ１Ｃ２＊を復調し、再送時にＣ５Ｃ６＊を復調する。ＬＬＲ（Ｃ１Ｃ２＊）≧ＬＬＲ（Ｃ５Ｃ６＊）のとき、初回伝送時のＣ１Ｃ２＊が正しいことの信頼性が、再送時のＣ５Ｃ６＊が正しいことの信頼性より大きいとする。上記分析ユニット９０５は、第２のコンスタレーションから、最後の２ビットが００である全てのコンスタレーションポイントを見つけ出し特定なコンスタレーションポイントとする。象限ごとに四つの特定なコンスタレーションポイントを有する。座標系を平行にシフトして、図１４Ｃの点線で示す座標系のように、座標原点を四つの象限内の十六個のコンスタレーションポイントの真中に位置させる。横線付きのコンスタレーションポイントが最後の２ビットが００の特定なコンスタレーションポイントである。平行シフト後の座標系内に、上記再送データをマッピングした点ｍに最も近い特定なコンスタレーションポイントは、再送するデータとされる。本例では、マッピングした点に最も近い特定なコンスタレーションポイントが０１１０００である。上記セル中心部ユーザは、初回伝送時のＣ１Ｃ２＊に基づいて、第２のコンスタレーションによって分析を行ないＣ３Ｃ４Ｃ５Ｃ６を得る。セル境界部ユーザは、上記最大尤度に基づいて推定してＣ１Ｃ２を得る。分析ユニット９０５が上記再送データを、Ｃ５Ｃ６Ｃ３Ｃ４Ｃ１Ｃ２からＣ１Ｃ２Ｃ３Ｃ４Ｃ５Ｃ６に順番変更して検証し、変更後の再送データを検証し、つまりＣ１Ｃ２とＣ３Ｃ４Ｃ５Ｃ６を例えばＣＲＣ検証方法で検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１３６】
ＬＬＲ（Ｃ１Ｃ２＊）＜ＬＬＲ（Ｃ５Ｃ６＊）のとき、初回伝送時のＣ１Ｃ２＊が正しいことの信頼性が、再送時のＣ５Ｃ６＊が正しいことの信頼性より小さいとする。本例では、Ｃ５Ｃ６＊が基本層にあるため、ＱＰＳＫ＋６４ＱＡＭ階層変調では、Ｃ５Ｃ６＊が０１であると容易に復調できる。上記分析ユニット９０５は、上記再送データ上位層の最後の２ビットと基本層の先頭の２ビットと互換し、再送データの順番をＣ５Ｃ６Ｃ３Ｃ４Ｃ１Ｃ２からＣ１Ｃ２Ｃ３Ｃ４Ｃ５Ｃ６に変更する。第１のコンスタレーションから、最後の２ビットが０１である全てのコンスタレーションポイントを見つけ出し特定なコンスタレーションポイントとする。象限ごとに四つの特定なコンスタレーションポイントを有する。座標系を平行にシフトして、図１４Ｄの点線で示す座標系のように、座標原点を四つの象限内の十六個のコンスタレーションポイントの真中に位置させる。横線付きのコンスタレーションポイントが最後の２ビットが０１の特定なコンスタレーションポイントである。平行シフト後の座標系内に、上記マッピングした点ｍに最も近い特定なコンスタレーションポイントは、伝送するデータとされる。本例では、マッピングした点に最も近い特定なコンスタレーションポイントが００１００１である。上記セル中心部ユーザは、再送データ中のＣ５Ｃ６＊に基づいて、第１のコンスタレーションによって分析を行ないＣ１Ｃ２Ｃ３Ｃ４を得る。セル境界部ユーザは、再送のＣ５Ｃ６＊に基づいて第１のコンスタレーションによって分析して、Ｃ１Ｃ２を得る。分析ユニット９０５が上記分析して得た変更後の再送データを検証し、つまりＣ１Ｃ２とＣ３Ｃ４Ｃ５Ｃ６を例えばＣＲＣ検証方法で検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１３７】
送信装置が再送ユニット７０５を介して再送データを送信し、受信装置が基本層のみにエラーがあった場合、判断ユニット９０４が再送データの制御シグナリングにおける情報を判断して今回の再送のデータ順がＣ５Ｃ６Ｃ３Ｃ４Ｃ１Ｃ２であると知ると、分析ユニット９０５を利用して処理を行なう。
【０１３８】
（ケース２）
上記送信装置の通信ユニット７０１が受信側から返信された検証報告を受信し、基本層のみにエラーがあり、つまりＣ１Ｃ２だけがエラーがあったとき、再送計数ユニット７０３で再送回数を計数し、再送回数が閾値より大きいか否かを判断する。本例では、閾値が３である。閾値より大きくなると終了する。本例の再送回数が閾値より少ないとき判断ユニット７０４に送信する。判断ユニット７０４は、検証報告に基づき、基本層にエラーがあったとき、基本層再送ユニット７０６を利用して上記データをＣ１Ｃ２Ｃ３Ｃ４Ｃ５Ｃ６の順に、第２のコンスタレーションで変調して通信ユニット７０１から送信される。
【０１３９】
セル中心部ユーザとセル境界部ユーザの受信装置の通信ユニット９０１は、該再送データを同時に受信し、自身が返信した検証報告に基づいて該データを処理するか廃棄するか決定する。返信された検証報告から、該受信装置がデータを正しく受信したと示すとき、該再送データを廃棄する。自身が返信した検証報告から、基本層のみにエラーがあったとき、再送回数判断ユニット９０３が受信データ中の情報に基づいて、再送回数が閾値より大きいか否かを判断する。本例では閾値が３である。再送回数が閾値より大きくなると、終了するが、本例の再送回数が閾値より小さく、判断ユニット９０４に送信する。上記判断ユニット９０４は、再送データからデータ順のＣ１Ｃ２Ｃ３Ｃ４Ｃ５Ｃ６を取得し、第２のコンスタレーションを用いて変調し、基本層分析ユニット９０６を利用して第２のコンスタレーションで上記再送データを復調し、得られたマッピングした点が図１４Ｅに示されているように、マッピングした点と正確なコンスタレーションポイントとの距離がaである。マッピングした点が座標軸から離れれば、ＱＰＳＫ＋６４ＱＡＭ階層変調では、Ｃ１Ｃ２が００であることを容易に復調できる。基本層分析ユニット９０６は、上記分析して得たデータの基本層のＣ１Ｃ２と上位層のＣ３Ｃ４Ｃ５Ｃ６を例えばＣＲＣ検証方法で検証し、検証報告を通信ユニット９０１を介して送信装置に返信する。検証が正しくないと、基本層及び／又は上位層検証エラーの報告を返信してもよい。本例では、復調して得た再送データの検証結果が正しい。送信装置が該検証報告を受信すると該データの伝送を終了する。
【０１４０】
（ケース３）
上記送信装置の通信ユニット７０１が受信側から返信された検証報告を受信し、上位層のみにエラーがあり、つまりＣ３Ｃ４Ｃ５Ｃ６だけがエラーがあったとき、再送計数ユニット７０３で再送回数を計数し、再送回数が閾値より大きいか否かを判断する。本例では、閾値が３である。閾値より大きくなると終了する。本例の再送回数が閾値より少ないとき判断ユニット７０４に送信する。判断ユニット７０４は、検証報告に基づき、上位層にエラーがあったとき、上位層再送ユニット７０７を利用して上記データの最後の２ビットと基本層Ｃ１Ｃ２の先頭の２ビットと交換してＣ５Ｃ６Ｃ３Ｃ４Ｃ１Ｃ２の順に、第１のコンスタレーションで変調して通信ユニット７０１から送信される。
【０１４１】
セル中心部ユーザとセル境界部ユーザの受信装置の通信ユニット９０１は、該再送データを同時に受信し、自身が返信した検証報告に基づいて該データを処理するか廃棄するか決定する。返信された検証報告から、該受信装置がデータを正しく受信したと示すとき、該再送データを廃棄する。自身が返信した検証報告から、上位層のみにエラーがあったとき、再送回数判断ユニット９０３が受信データ中の情報に基づいて、再送回数が閾値より大きいか否かを判断する。本例では閾値が３である。再送回数が閾値より大きくなると、終了するが、本例の再送回数が閾値より小さく、判断ユニット９０４に送信する。上記判断ユニット９０４は、再送データからデータ順のＣ５Ｃ６Ｃ３Ｃ４Ｃ１Ｃ２を取得し、第１のコンスタレーションを用いて変調し、上位層分析ユニット９０７を利用して第１のコンスタレーションで上記再送データを復調し、得られたマッピングした点が図１４Ｆに示されているように、マッピングした点と正確なコンスタレーションポイントとの距離がaである。Ｃ５Ｃ６が基本層にあるため、ＱＰＳＫ＋６４ＱＡＭ階層変調では、Ｃ５Ｃ６が０１であることを容易に復調できる。上位層分析ユニット９０７は、上記再送データを、Ｃ５Ｃ６Ｃ３Ｃ４Ｃ１Ｃ２からＣ１Ｃ２Ｃ３Ｃ４Ｃ５Ｃ６に変更する。変更後の再送データを例えばＣＲＣ検証方法で基本層のＣ１Ｃ２と上位層のＣ３Ｃ４Ｃ５Ｃ６を検証し、検証報告を通信ユニット９０１を介して送信装置に返信する。検証が正しくないと、基本層及び／又は上位層検証エラーの報告を返信してもよい。本例では、復調して得た受信データが伝送データと同一のため、検証結果が正しい。送信装置が該検証報告を受信すると該データの伝送を終了する。
【０１４２】
優れた実施例として、ＱＰＳＫ＋６４ＱＡＭ階層変調について、送信側が初回に返信された検証報告を受信するときに上位層のみにエラーがあった場合、上記上位層再送ユニット７０６は、データ上位層の最後の２ビットと基本層の先頭の２ビットとを互換して第１のコンスタレーションを用いて変調して受信装置に再送する。つまり、Ｃ５Ｃ６Ｃ３Ｃ４Ｃ１Ｃ２の順に変調する。二回目に返信された検証報告には依然として上位層のみにエラーがあった場合、上記上位層再送ユニット７０６は、再度の再送時に、データ上位層の先頭の２ビットと基本層の先頭の２ビットとを互換して第１のコンスタレーションを用いて変調して受信装置に再送する。つまり、Ｃ３Ｃ４Ｃ５Ｃ６Ｃ１Ｃ２の順に変調する。
【０１４３】
上記上位層分析ユニット９０６が初回の検証報告返信と二回目の検証報告返信に共に上位層のみにエラーがあった場合、送信側が再度にデータを再送するときに、上記上位層分析ユニット９０６は、送信側からの再送データからデータ順を取得し、第１のコンスタレーションを用いて再送データを変調し、データ上位層の先頭の２ビットと基本層の先頭の２ビットとを互換して、Ｃ３Ｃ４Ｃ５Ｃ６Ｃ１Ｃ２からＣ１Ｃ２Ｃ３Ｃ４Ｃ５Ｃ６の順に変更し、受信したデータの基本層と上位層を構成する。そして該変更後の再送データを検証して検証報告を送信装置に返信する。
【０１４４】
図１５は、本発明と従来技術とのユーザデータスループットの比較図である。縦座標はデータスループット（単位：ｋｂｐｓ）であり、横座標は、ユーザと基地局間の距離（単位：ｍ）である。本発明の方法と装置を応用して実現するデータスループットは、セル中心部ユーザに対して１４％向上し、セル境界部ユーザに対して２３％向上している。
【０１４５】
隔てて配置された最後の２ビットが同一の第１コンスタレーションと、第１のコンスタレーションと階層ゲインを有する第２のコンスタレーションとにより、再送においてデータの上位層の最後の２ビットと基本層の先頭の２ビットを互換して、一回再送するだけで良好なゲインを取得できる。最後の２ビットが、伝送データの最後の２ビットと同一の特定なコンスタレーションポイントをコンスタレーションから見つけ出すことによって、大量な関係のないコンスタレーションポイントの干渉を排除でき、受信をより正確なものとする。伝送中の一部のデータに基づき、特定なコンスタレーションポイントを見つけ出し、座標系を平行にシフトしてデータの他の部分を分析することができるので、分析の正確さが向上されている。全体的には再送回数が少なく、データ復調の正確率が高く、ユーザのデータスループットが高い。
【０１４６】
上記具体的な実施形態は、本発明の目的、技術案及び優れた効果について更に詳細に説明したものである。以上は、本発明の具体的な実施形態に過ぎず、本発明の保護範囲を限定するものではない。なお、本発明の精神や原則の元で行われたあらゆる修正、同等な代替及び改良は、本発明の保護範囲にあることが理解されよう。
【図１】
2010068524.tif 000003
【図２】
2010068524.tif 000004
【図３】
2010068524.tif 000005
【図４】
2010068524.tif 000006
【図５】
2010068524.tif 000007
【図６】
2010068524.tif 000008
【図７】
2010068524.tif 000009
【図８】
2010068524.tif 000010
【図９】
2010068524.tif 000011
【図１０Ａ】
2010068524.tif 000012
【図１０Ｂ】
2010068524.tif 000013
【図１０Ｃ】
2010068524.tif 000014
【図１０Ｄ】
2010068524.tif 000015
【図１０Ｅ】
2010068524.tif 000016
【図１０Ｆ】
2010068524.tif 000017
【図１１Ａ】
2010068524.tif 000018
【図１１Ｂ】
2010068524.tif 000019
【図１１Ｃ】
2010068524.tif 000020
【図１１Ｄ】
2010068524.tif 000021
【図１１Ｅ】
2010068524.tif 000022
【図１１Ｆ】
2010068524.tif 000023
【図１２Ａ】
2010068524.tif 000024
【図１２Ｂ】
2010068524.tif 000025
【図１２Ｃ】
2010068524.tif 000026
【図１２Ｄ】
2010068524.tif 000027
【図１２Ｅ】
2010068524.tif 000028
【図１２Ｆ】
2010068524.tif 000029
【図１３Ａ】
2010068524.tif 000030
【図１３Ｂ】
2010068524.tif 000031
【図１３Ｃ】
2010068524.tif 000032
【図１３Ｄ】
2010068524.tif 000033
【図１３Ｅ】
2010068524.tif 000034
【図１３Ｆ】
2010068524.tif 000035
【図１４Ａ】
2010068524.tif 000036
【図１４Ｂ】
2010068524.tif 000037
【図１４Ｃ】
2010068524.tif 000038
【図１４Ｄ】
2010068524.tif 000039
【図１４Ｅ】
2010068524.tif 000040
【図１４Ｆ】
2010068524.tif 000041
【図１５】
2010068524.tif 000042